(57)【特許請求の範囲】
【請求項１】
アノードガス流路とカソードガス流路とを備える固体酸化物形燃料電池と、前記アノードガス流路から排出されるアノードオフガスと前記カソードガス流路から排出されるカソードオフガスとを混合する混合器と、を備える、燃料電池ユニットと、
前記燃料電池ユニットに発電原料を供給する発電原料供給器と、
前記発電原料供給器から前記アノードガス流路の下流端に至る可燃性ガス流路と、
前記カソードガス流路に酸化剤ガスを供給する酸化剤ガス供給器と、
前記燃料電池ユニットの発電停止後に、前記発電原料供給器を制御して前記可燃性ガス流路の容積以上の体積の発電原料を前記可燃性ガス流路に供給し、同時に、前記酸化剤ガス供給器を制御して前記カソードガス流路に酸化剤ガスを供給する、制御器と、を備え、
前記制御器は、前記燃料電池ユニットの発電停止後に前記カソードガス流路に供給される酸化剤ガスの体積が、前記カソードガス流路の容積以上となるように、かつ、前記燃料電池ユニットの発電停止後に前記可燃性ガス流路への発電原料の供給を停止した後も、前記カソードガス流路への酸化剤ガスの供給が継続されるように、前記酸化剤ガス供給器を制御する、
固体酸化物形燃料電池システム。
【請求項２】
前記混合器は、アノードオフガスとカソードオフガスとの混合ガスを燃焼させる点火器を備え、
前記制御器は、前記燃料電池ユニットの発電停止後に、アノードオフガスとカソードオフガスとの混合ガスを燃焼させるように前記点火器を制御する、
請求項１に記載の固体酸化物形燃料電池システム。
【請求項３】
前記酸化剤ガス供給器から前記カソードガス流路の下流端に至る流路であり、前記酸化剤ガスが流通する酸化剤ガス流路を備え、
前記制御器は、固体酸化物形燃料電池システムの運転停止工程において、前記酸化剤ガス供給器が前記酸化剤ガスを、前記酸化剤ガス流路を通じて供給させるとともに、前記発電原料供給器が前記発電原料を、前記可燃性ガス流路を通じて間欠的に供給させ、前記点火器が前記発電原料の間欠的な供給に伴い前記混合器に間欠的に排出される前記アノードオフガスに着火するように制御する請求項２に記載の固体酸化物形燃料電池システム。
【請求項４】
前記燃料電池ユニットは、前記発電原料を改質し、水素含有ガスを生成する改質器を備え、
前記制御器は、前記改質器の温度が、前記発電原料が熱分解する温度未満となるように、前記燃料電池ユニットに酸化剤ガスを供給させつつ、前記燃料電池ユニットに前記発電原料を間欠的に供給させるように、前記酸化剤ガス供給器および前記発電原料供給器を制御する、請求項３に記載の固体酸化物形燃料電池システム。
【請求項５】
前記制御器は、前記固体酸化物形燃料電池の温度が、発電原料が熱分解する温度未満となるように、前記燃料電池ユニットに酸化剤ガスを供給させつつ、前記燃料電池ユニットに前記発電原料を間欠的に供給させるように、前記酸化剤ガス供給器および前記発電原料供給器を制御する、請求項３に記載の固体酸化物形燃料電池システム。
【請求項６】
前記燃料電池ユニットは、前記発電原料を改質し、水素含有ガスを生成する改質器を備え、
前記制御器は、前記改質器の温度および前記固体酸化物形燃料電池の温度が、発電原料が熱分解する温度未満となるように、前記燃料電池ユニットに酸化剤ガスを供給させつつ、前記燃料電池ユニットに前記発電原料を間欠的に供給させるように、前記酸化剤ガス供給器および前記発電原料供給器を制御する、請求項３に記載の固体酸化物形燃料電池システム。
【請求項７】
前記制御器は、前記改質器の温度が、発電原料が熱分解する温度未満、且つ、水分が蒸気として存在する温度の下限温度まで下がった時、前記燃料電池ユニットに前記酸化剤ガスを供給させつつ、前記燃料電池ユニットに前記発電原料の供給を開始させるように、前記酸化剤ガス供給器および前記発電原料供給器を制御する、請求項４または６に記載の固体酸化物形燃料電池システム。
【請求項８】
前記燃料電池ユニットは、前記発電原料供給器から供給される発電原料中の硫黄化合物を除去する水添脱硫器を備える、請求項１−７のいずれかに記載の固体酸化物形燃料電池システム。
【請求項９】
前記水添脱硫器は、前記アノードオフガスとカソードオフガスとの混合ガスを燃焼させた排熱により加熱される、請求項８に記載の固体酸化物形燃料電池システム。
【請求項１０】
前記制御器は、前記水添脱硫器の温度が、発電原料が熱分解する温度未満、且つ、水分が蒸気として存在する温度の下限温度まで下がった時、前記燃料電池ユニットに前記酸化剤ガスを供給させつつ、前記燃料電池ユニットに前記発電原料の供給を開始させるように、前記酸化剤ガス供給器および前記発電原料供給器を制御する、請求項８または９に記載の固体酸化物形燃料電池システム。
【請求項１１】
固体酸化物形燃料電池を含む燃料電池ユニットの発電を停止するステップと、
発電原料供給器から前記固体酸化物形燃料電池のアノードガス流路の下流端に至る流路を可燃性ガス流路とするとき、前記燃料電池ユニットの発電停止後に、前記可燃性ガス流路の容積以上の体積の発電原料を前記可燃性ガス流路に供給し、同時に、前記固体酸化物形燃料電池のカソードガス流路に酸化剤ガスを供給するステップと、
前記アノードガス流路から排出されるアノードオフガスと前記カソードガス流路から排出されるカソードオフガスとを混合して燃焼させるステップと、
を含み、
前記燃料電池ユニットの発電停止後に前記可燃性ガス流路への発電原料の供給を開始する時の前記固体酸化物形燃料電池の温度が１００℃以上かつ４００℃以下である、
固体酸化物形燃料電池システムの停止方法。
【発明の詳細な説明】
【技術分野】
【０００１】
本発明は、固体酸化物形燃料電池システム及びその停止方法に関する。
【背景技術】
【０００２】
特許文献１は、原料ガス（発電原料）から水素含有ガスを生成する改質器と、改質器に供給される原料ガスが流れる原料流路と、原料流路に設けられ、原料ガスの圧力を降下させる圧力調整器と、原料流路に設けられ、圧力調整器を通過した原料ガスの圧力を上昇させる昇圧器と、原料流路に設けられ、圧力調整器を通過した原料ガス中の硫黄化合物を除去する水添脱硫器と、改質器で生成された水素含有ガスを圧力調整器よりも下流かつ水添脱硫器及び昇圧器よりも上流の原料流路へと供給するリサイクル流路と、を備える、水素生成装置、を開示する。【０００３】
特許文献２は、燃料電池モジュールと、燃料供給装置と、水供給装置と、空気供給装置と、改質器と、燃料供給装置、水供給装置、空気供給装置、及び燃料電池モジュールからの電力の取り出しを制御するコントローラと、を有し、コントローラは、燃料電池セルスタックが酸化抑制温度以上の状態において、シャットダウン停止を実行するシャットダウン停止回路を備え、シャットダウン停止後、燃料極側の圧力が空気極側の圧力よりも十分に高く、空気の燃料極側への逆流が発生しない期間において、空気極側に残留している高温の空気を排出する温度降下制御を実行することを特徴とする固体酸化物型燃料電池システム、を開示する。
【先行技術文献】
【特許文献】
【０００４】
【特許文献１】国際公開第２０１３／００１７５３号
【特許文献２】国際公開第２０１３／１５３９４４号
【発明の概要】
【発明が解決しようとする課題】
【０００５】
本発明は、一例として、固体酸化物形燃料電池システムの耐久性を向上することを課題とする。
【課題を解決するための手段】
【０００６】
本発明の固体酸化物形燃料電池システムの一態様（ａｓｐｅｃｔ）は、アノードガス流路とカソードガス流路とを備える固体酸化物形燃料電池と、前記アノードガス流路から排出されるアノードオフガスと前記カソードガス流路から排出されるカソードオフガスとを混合する混合器と、を備える、燃料電池ユニットと、前記燃料電池ユニットに発電原料を供給する発電原料供給器と、前記発電原料供給器から前記アノードガス流路の下流端に至る可燃性ガス流路と、前記カソードガス流路に酸化剤ガスを供給する酸化剤ガス供給器と、前記燃料電池ユニットの発電停止後に、前記発電原料供給器を制御して前記可燃性ガス流路の容積以上の体積の発電原料を前記可燃性ガス流路に供給し、同時に、前記酸化剤ガス供給器を制御して前記カソードガス流路に酸化剤ガスを供給する、制御器と、を備える。
【発明の効果】
【０００７】
本発明の一態様によれば、固体酸化物形燃料電池システムの耐久性を向上させることができるという効果を奏する。
【図面の簡単な説明】
【０００８】
【図１】図１は、第１実施形態にかかる固体酸化物形燃料電池システムの概略構成の一例を示すブロック図である。
【図２】図２は、第１実施形態にかかる固体酸化物形燃料電池システムの停止方法の一例を示すフローチャートである。
【図３】図３は、第１変形例にかかる固体酸化物形燃料電池システムの停止方法の一例を示すフローチャートである。
【図４】図４は、第２変形例にかかる固体酸化物形燃料電池システムの停止方法の一例を示すフローチャートである。
【図５】図５は、第１実施例にかかる固体酸化物形燃料電池システムの概略構成を示すブロック図である。
【図６】図６は、第１実施例にかかる固体酸化物形燃料電池システムの停止方法を示すフローチャートである。
【図７】図７は、第２実施形態にかかる固体酸化物形燃料電池システムの概略構成の一例を示すブロック図である。
【図８】図８は、第２実施例にかかる固体酸化物形燃料電池システムの概略構成を示すブロック図である。
【図９】図９は、第２実施例にかかる固体酸化物形燃料電池システムの停止方法を示すフローチャートである。
【図１０】図１０は、本発明の第３実施形態に係る固体酸化物形燃料電池システムの概略構成の一例を示すブロック図である。
【図１１】図１１は、本発明の第３実施形態に係る固体酸化物形燃料電池システムの運転停止工程の一例を示すフローチャートである。
【図１２】図１２は、図１１に示すフローチャートに従って固体酸化物形燃料電池システムが動作した場合における各部の時系列変化の一例を示す図である。
【図１３】図１３は、本発明の第４実施形態に係る固体酸化物形燃料電池システムの概略構成の一例を示すブロック図である。
【図１４】図１４は、本発明の第４実施形態に係る固体酸化物形燃料電池システムの運転停止工程の一例を示すフローチャートである。
【図１５】図１５は、図１４に示すフローチャートに従って固体酸化物形燃料電池システムが動作した場合における各部の時系列変化の一例を示す図である。
【発明を実施するための形態】
【０００９】
本発明者らは、固体酸化物形燃料電池システムの耐久性を向上するために鋭意検討を行った。その結果、以下の知見を得た。
【００１０】
固体酸化物形燃料電池システムは、発電部の本体である固体酸化物形燃料電池スタックに、水素含有ガスと酸素含有ガスとを供給して、水素と酸素との電気化学反応を進行させることにより発生した化学的なエネルギーを、電気的なエネルギーとして取り出して発電するシステムである。固体酸化物形燃料電池スタックは、例えば、燃料極、電解質、空気極から成るセルから構成される。燃料極には、例えば、燃料であるメタン、改質器から供給される水素及びＣＯ、及び水蒸気等が供給される。空気極には空気が供給される。空気中の酸素は、空気極と電解質との界面で解離し、電解質中を拡散移動する。拡散した酸素イオンは、電解質と燃料極との界面で燃料極側の水素及びＣＯと反応し、水及びＣＯ２を生成する。この反応の際に放出される電子が、電力として取り出される。
【００１１】
固体酸化物形燃料電池システムは、高効率発電が可能であり、発電運転の際に発生する熱エネルギーを簡単に利用することができるので、高いエネルギー利用効率を実現することが可能な分散型の発電システムとして開発が進められている。
【００１２】
固体酸化物形燃料電池システムに使用される原料として、例えば、液化石油ガス（ＬＰＧ）、液化天然ガス（ＬＮＧ）、都市ガス、シェールガス、及びメタンハイドレード等を例示できる。水素含有ガスを用いて発電が行なわれる場合、水素含有ガスの原料としては、天然ガスを主成分とする都市ガス、又はＬＰＧ等の化石原料が用いられる。水素生成装置は、例えば、Ｒｕ触媒やＮｉ触媒を用いて、例えば６００〜７００℃の温度で上記原料を水蒸気と反応（改質反応）させることによって、水素含有ガス（改質ガス）を生成する改質器を備えている。
【００１３】
都市ガス、又はＬＰＧ等の原料には、原料漏れを検出するため、硫黄成分を含む付臭剤が添加されている。また、原料由来の硫黄化合物も含まれることもある。これら硫黄系の付臭剤や天然由来の硫黄化合物（総称して「硫黄化合物」とする）は、改質器で用いられるＲｕ触媒やＮｉ触媒といった触媒を被毒し、改質反応を阻害したり、燃料電池スタックのアノードを被毒し、燃料電池の性能を阻害してしまう恐れがある。このため、水素生成装置には、一般に、改質器に導入する前の原料から硫黄化合物を除去するための脱硫器が設けられる。
【００１４】
固体酸化物形燃料電池システムでは、水素含有ガスを生成するために改質反応をさせる。発電中は、原料及び水を継続的に供給し、発電停止時にはこれらの供給も停止される。そのため、発電停止後には原料及び原料が改質された可燃性ガスが流れる経路には水蒸気を含む可燃性ガスが滞留する。固体酸化物形燃料電池は発電時には５００℃〜９００℃の高温に保持され、停止後には徐々に冷却される。
【００１５】
冷却過程において、水蒸気を含む可燃性ガスは露点以下になると水が凝縮し、可燃性ガス経路に存在する触媒、及び、Ｎｉ含有電極である燃料電池のアノード等の耐久性を低下させる可能性がある。
【００１６】
そこで、冷却過程において、窒素などの不活性ガスを用いて還元雰囲気を作ることで、水素含有ガスのパージを行う構成を有した固体酸化物形燃料電池システムが従来から知られている。しかしながら、このように不活性ガスを用いてパージを行う構成の場合、パージ専用の流路を設置する必要があり、固体酸化物形燃料電池システムの大型化を招くという問題がある。
【００１７】
また、既存の改質用空気および発電用空気を流通させる流路を利用し、これら改質用空気および発電用空気によってパージを行う燃料電池システムが提案されている（例えば、特許文献２）。
【００１８】
特許文献２に開示された構成では、例えば、燃料電池システムの運転を停止する際に、改質用の空気及び発電用の空気を供給し、改質器、燃料ガス供給管、マニホールド、及び各燃料電池セルユニットの内部の燃料極等を含む可燃性ガス流路を空気によりパージすることが考えられる。同時に、発電室内の空気極、排気通路、及び空気用熱交換器等のカソードガス流路も空気によりパージすることが考えられる。
【００１９】
可燃性ガス流路を空気でパージすることにより、流路内部に残留していた水蒸気から結露水が発生して可燃性ガス流路及び燃料極を酸化する可能性が低減される。カソードガス流路を空気でパージすることにより、燃料極から排出された水蒸気がカソードガス流路内で結露する可能性が低減される。
【００２０】
しかしながら、特許文献１に開示されている構成では、仮に原料ガスでパージが行われた場合、原料ガスは燃料電池のスタックから排出される。その結果、原料ガスによりスタックの排出口付近の空気極が還元されてしまい、スタックが劣化する可能性があるという課題があることを見出した。
【００２１】
また、特許文献２に開示された構成では、可燃性ガス経路を改質用空気でパージするために、改質用空気を供給する供給器を設ける必要がある。水添脱硫器を備える場合は、停止時に水添脱硫器に空気が滞留し、脱硫触媒が酸化されるという課題もある。
【００２２】
さらに、固体酸化物形燃料電池システムが、アノードガス流路から排出されるアノードオフガスとカソードガス流路から排出されるカソードオフガスとを混合する混合器を備える場合において、燃料電池のアノードを原料でパージすると、アノードから排出された原料がカソードを還元して劣化させるという課題も存在することを発見した。
【００２３】
そこで、固体酸化物形燃料電池システムにおいて、燃料電池ユニットの発電停止後に、発電原料供給器を制御して可燃性ガス流路内パージする場合に、同時に、酸化剤ガス供給器を制御してカソードガス流路に酸化剤ガスを供給することに想到した。
【００２４】
かかる構成では、固体酸化物形燃料電池システムの運転を停止させる際に実行する運転停止工程において、アノードにおいて凝縮水が発生して触媒が劣化する可能性が低減されると共に、カソードが原料ガスに接触する可能性が低減される。よって、固体酸化物形燃料電池システムの耐久性を向上できる。なお、固体酸化物形燃料電池システムの運転を停止させるにあたり行われる、例えば上記したパージなどを含む複数の処理ステップからなる工程を以下において運転停止工程と称する。また、この運転停止工程を実施する方法を固体酸化物形燃料電池システムの停止方法と称する。
【００２５】
また、原料ガスを用いて可燃性ガス流路をパージする燃料電池システムの場合、冷却過程においてパージに用いられた可燃性の原料ガスをそのまま燃料電池システムの系外に排気することとなり、安全性の面で問題があることにも気付いた。
【００２６】
この知見に基づいて、本発明者らは、系外に排気する前に、パージに用いた可燃性の原料ガスを燃焼させることで安全に燃料電池システムの運転を停止させることができることを見出した。また、原料ガスの燃焼により固体酸化物形燃料電池が過昇温することを防ぐため、固体酸化物形燃料電池の温度が適切な温度範囲となるように原料ガスの燃焼を工夫させる必要性を見出した。
【００２７】
以下、添付図面を参照しつつ、本発明の実施形態について説明する。
【００２８】
以下で説明する実施形態は、いずれも本発明の一具体例を示すものである。以下の実施形態で示される数値、形状、材料、構成要素、構成要素の配置位置及び接続形態、ステップ、ステップの順序などは、あくまで一例であり、本発明を限定するものではない。また、以下の実施形態における構成要素のうち、本発明の最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状及び寸法比等については正確な表示ではない場合がある。また、製造方法においては、必要に応じて、各工程の順序等を変更でき、かつ、他の公知の工程を追加できる。
【００２９】
（第１実施形態）
第１実施形態の固体酸化物形燃料電池システムは、アノードガス流路とカソードガス流路とを備える固体酸化物形燃料電池と、前記アノードガス流路から排出されるアノードオフガスと前記カソードガス流路から排出されるカソードオフガスとを混合する混合器と、を備える、燃料電池ユニットと、前記燃料電池ユニットに発電原料を供給する発電原料供給器と、前記発電原料供給器から前記アノードガス流路の下流端に至る可燃性ガス流路と、前記カソードガス流路に酸化剤ガスを供給する酸化剤ガス供給器と、前記燃料電池ユニットの発電停止後に、前記発電原料供給器を制御して前記可燃性ガス流路の容積以上の体積の発電原料を前記可燃性ガス流路に供給し、同時に、前記酸化剤ガス供給器を制御して前記カソードガス流路に酸化剤ガスを供給する、制御器と、を備える。
【００３０】
固体酸化物形燃料電池システムの停止方法は、固体酸化物形燃料電池を含む燃料電池ユニットの発電を停止するステップと、発電原料供給器から前記固体酸化物形燃料電池のアノードガス流路の下流端に至る流路を可燃性ガス流路とするとき、前記燃料電池ユニットの発電停止後に、前記可燃性ガス流路の容積以上の体積の発電原料を前記可燃性ガス流路に供給し、同時に、前記固体酸化物形燃料電池のカソードガス流路に酸化剤ガスを供給するステップと、前記アノードガス流路から排出されるアノードオフガスと前記カソードガス流路から排出されるカソードオフガスとを混合して燃焼させるステップと、を含む。
【００３１】
かかる構成では、固体酸化物形燃料電池システムの耐久性を向上させることができる。
【００３２】
上記固体酸化物形燃料電池システムにおいて、前記制御器は、前記燃料電池ユニットの発電停止後に前記カソードガス流路に供給される酸化剤ガスの体積が、前記カソードガス流路の容積以上となるように、前記酸化剤ガス供給器を制御してもよい。
【００３３】
上記固体酸化物形燃料電池システムにおいて、前記制御器は、前記燃料電池ユニットの発電停止後に前記可燃性ガス流路への発電原料の供給を停止した後も、前記カソードガス流路への酸化剤ガスの供給が継続されるように、前記酸化剤ガス供給器を制御してもよい。
【００３４】
かかる構成では、固体酸化物形燃料電池システムの耐久性をさらに効果的に向上させることができる。
【００３５】
上記固体酸化物形燃料電池システムにおいて、混合器は、アノードオフガスとカソードオフガスとの混合ガスを燃焼させる点火器を備え、前記制御器は、前記燃料電池ユニットの発電停止後に、アノードオフガスとカソードオフガスとの混合ガスを燃焼させるように前記点火器を制御してもよい。
【００３６】
かかる構成では、混合ガスが可燃性ガスである場合に、かかる可燃性ガスが固体酸化物形燃料電池システムの外部にそのまま排出される可能性を低減することができる。
【００３７】
上記固体酸化物形燃料電池システムにおいて、前記酸化剤ガス供給器から前記カソードガス流路の下流端に至る流路であり、前記酸化剤ガスが流通する酸化剤ガス流路を備え、前記制御器は、固体酸化物形燃料電池システムの運転停止工程において、前記酸化剤ガス供給器が前記酸化剤ガスを、前記酸化剤ガス流路を通じて供給させるとともに、前記発電原料供給器が前記発電原料を、前記可燃性ガス流路を通じて間欠的に供給させ、前記点火器が前記発電原料の間欠的な供給に伴い前記混合器に間欠的に排出される前記可燃性ガスに着火するように制御してもよい。
【００３８】
ここで、可燃性ガスは、例えば、発電原料に加えて、発電時にアノードに供給された水素含有ガスを含む。
【００３９】
かかる構成では、固体酸化物形燃料電池システムの運転停止工程において、酸化剤ガスを、前記酸化剤ガス流路を通じて供給させるとともに、発電原料を、可燃性ガス流路を通じて間欠的に供給させることができる。すなわち、酸化剤ガスにより酸化剤ガス流路をパージし、発電原料により可燃性ガス流路をパージすることができる。このため、本発明の第１の態様に係る固体酸化物形燃料電池システムでは、運転停止工程において、固体酸化物形燃料電池のアノードから排出された可燃性ガスによるカソードの還元を防止できる。
【００４０】
さらに、固体酸化物形燃料電池システムは、発電原料を間欠的に供給させ、可燃性ガス流路の内部に残留した水蒸気を排出させることができるため、凝縮水により可燃性ガス流路およびアノードが酸化されることを防止できる。
【００４１】
また、固体酸化物形燃料電池システムでは、制御器は、燃料電池ユニットに対して酸化剤ガスを供給させつつ、発電原料を間欠的に供給させ、燃焼部に間欠的に排出される可燃性ガスに着火するように、点火器の動作を制御することができる。
【００４２】
このため、固体酸化物形燃料電池システムは、発電原料を利用したパージにより可燃性ガス流路から燃焼部に排出された可燃性ガスを火炎燃焼させることができる。このため、可燃性ガスを外部大気中に放出することを防ぐことができる。それゆえ、本発明の第１の態様に係る固体酸化物形燃料電池システムは、安全に運転停止することができるという効果を奏する。
【００４３】
上記固体酸化物形燃料電池システムにおいて、前記燃料電池ユニットは、前記発電原料を改質し、水素含有ガスを生成する改質器を備え、前記制御器は、前記改質器の温度が、前記発電原料が熱分解する温度未満となるように、前記燃料電池ユニットに酸化剤ガスを供給させつつ、前記燃料電池ユニットに前記発電原料を間欠的に供給させるように、前記酸化剤ガス供給器および前記発電原料供給器を制御してもよい。
【００４４】
かかる構成では、発電原料供給器により発電原料を間欠的に供給するように制御器が制御することにより、可燃性ガスの火炎燃焼による改質器の温度上昇を、発電原料が熱分解する温度未満となるように、抑制することができる。このため、発電原料を間欠的に供給しない構成と比較して、燃料電池ユニットの冷却時間を短縮できる。さらには、改質器の過度の温度上昇による発電原料の炭化（炭素析出）を防止することができる。それゆえ、改質器に充填された改質触媒に炭素析出し、この改質触媒が劣化してしまうことを防ぐことができ改質触媒の耐久性を向上させることができる。
【００４５】
上記固体酸化物形燃料電池システムにおいて、前記制御器は、前記固体酸化物形燃料電池の温度が、発電原料が熱分解する温度未満となるように、前記燃料電池ユニットに酸化剤ガスを供給させつつ、前記燃料電池ユニットに前記発電原料を間欠的に供給させるように、前記酸化剤ガス供給器および前記発電原料供給器を制御してもよい。
【００４６】
かかる構成では、発電原料供給器により発電原料を間欠的に供給するように制御器が制御することにより、可燃性ガスの火炎燃焼による固体酸化物形燃料電池の温度上昇を、発電原料が熱分解する温度未満となるように、抑制することができる。このため、発電原料を間欠的に供給しない構成と比較して、燃料電池ユニットの冷却時間を短縮できる。さらには、固体酸化物形燃料電池の過度の温度上昇による発電原料の炭化（炭素析出）を防止することができる。それゆえ、固体酸化物形燃料電池に炭素析出し劣化してしまうことを防ぐことができ、該固体酸化物形燃料電池の耐久性を向上させることができる。
【００４７】
上記固体酸化物形燃料電池システムにおいて、前記燃料電池ユニットは、前記発電原料を改質し、水素含有ガスを生成する改質器を備え、前記制御器は、前記改質器の温度および前記固体酸化物形燃料電池の温度が、発電原料が熱分解する温度未満となるように、前記燃料電池ユニットに酸化剤ガスを供給させつつ、前記燃料電池ユニットに前記発電原料を間欠的に供給させるように、前記酸化剤ガス供給器および前記発電原料供給器を制御してもよい。
【００４８】
かかる構成では、発電原料供給器により発電原料を間欠的に供給するように制御器が制御することにより、可燃性ガスの火炎燃焼による改質器および固体酸化物形燃料電池の温度上昇を、発電原料が熱分解する温度未満となるように、抑制することができる。このため、発電原料を間欠的に供給しない構成と比較して、燃料電池ユニットの冷却時間を短縮できる。さらには、改質器および固体酸化物形燃料電池の過度の温度上昇による発電原料の炭化（炭素析出）を防止することができる。それゆえ、固体酸化物形燃料電池および改質器に充填された改質触媒に炭素析出し劣化してしまうことを防ぐことができ、該固体酸化物形燃料電池および該改質触媒の耐久性を向上させることができる。
【００４９】
上記固体酸化物形燃料電池システムにおいて、前記制御器は、前記改質器の温度が、発電原料が熱分解する温度未満、且つ、水分が蒸気として存在する温度の下限温度まで下がった時、前記燃料電池ユニットに前記酸化剤ガスを供給させつつ、前記燃料電池ユニットに前記発電原料の供給を開始させるように、前記酸化剤ガス供給器および前記発電原料供給器を制御してもよい。
【００５０】
かかる構成では、改質器の温度が、発電原料が熱分解する温度未満、且つ、水分が蒸気として存在する温度の下限温度まで下がった時、燃料電池ユニットに発電原料の供給を開始するように制御器は発電原料供給器を制御することができる。このため、固体酸化物形燃料電池システムは、改質器に充填された改質触媒において凝縮水が発生する前に発電原料を供給し、火炎燃焼させ改質器を加熱することができる。それゆえ、改質触媒における凝縮水の発生を防止することができる。
【００５１】
上記固体酸化物形燃料電池システムにおいて、前記燃料電池ユニットは、前記発電原料供給器から供給される発電原料中の硫黄化合物を除去する水添脱硫器を備えてもよい。
【００５２】
上記固体酸化物形燃料電池システムにおいて、前記水添脱硫器は、前記燃焼部における火炎燃焼の排熱により加熱される構成であってもよい。
【００５３】
かかる構成では、例えば水添脱硫器を所定温度まで加熱する必要がある場合、水添脱硫器の加熱を燃焼部における火炎燃焼の排熱を利用することができる。このため、固体酸化物形燃料電池システムにおけるエネルギーの利用効率を向上させることができる。
【００５４】
上記固体酸化物形燃料電池システムにおいて、前記制御器は、前記水添脱硫器の温度が、発電原料が熱分解する温度未満、且つ、水分が蒸気として存在する温度の下限温度まで下がった時、前記燃料電池ユニットに前記酸化剤ガスを供給させつつ、前記燃料電池ユニットに前記発電原料の供給を開始させるように、前記酸化剤ガス供給器および前記発電原料供給器を制御してもよい。
【００５５】
かかる構成では、水添脱硫器の温度が、発電原料が熱分解する温度未満、且つ、水分が蒸気として存在する温度の下限温度まで下がった時、燃料電池ユニットに発電原料の供給を開始するように制御器は発電原料供給器を制御することができる。このため、固体酸化物形燃料電池システムは、水添脱硫器において凝縮水が発生する前に発電原料の供給し、火炎燃焼させ水添脱硫器を加熱することができる。それゆえ水添脱硫器における凝縮水の発生を防止することができる。
【００５６】
上記固体酸化物形燃料電池システムの停止方法において、燃料電池ユニットの発電停止後に前記可燃性ガス流路への発電原料の供給を開始する時の前記固体酸化物形燃料電池の温度が１００℃以上かつ４００℃以下であってもよい。
【００５７】
［装置構成］
図１は、第１実施形態にかかる固体酸化物形燃料電池システムの概略構成の一例を示すブロック図である。以下、図１を参照しつつ、第１実施形態の固体酸化物形燃料電池システム１について説明する。
【００５８】
図１に示す例において、固体酸化物形燃料電池システム１は、固体酸化物形燃料電池１０と混合器２４とを備える燃料電池ユニット１２と、発電原料供給器１４と、可燃性ガス流路１８と、酸化剤ガス供給器２２と、制御器５０と、を備える。
【００５９】
固体酸化物形燃料電池１０は、アノードガス流路１６とカソードガス流路２０とを備える。固体酸化物形燃料電池１０は、発電原料をそのまま用いて発電してもよいし、改質器等により改質されて得られる改質ガスを用いて発電してもよい。
【００６０】
固体酸化物形燃料電池１０は、例えば、アノードとカソードとを備え、アノードに供給される水素含有ガスと、カソードに供給される酸化剤ガスと、の間で発電反応を行いうる。水素含有ガスは、改質器（図示せず）から供給されてもよい。酸化剤ガスは、例えば、空気とすることができる。
【００６１】
改質器は、原料を用いて水素含有ガスを生成してもよい。具体的には、改質器において、原料ガスが改質反応して、水素含有ガスが生成されてもよい。改質反応は、いずれの形態であってもよく、例えば、水蒸気改質反応、オートサーマル反応及び部分酸化反応等が挙げられる。また、改質反応に用いる原料以外の反応ガスとしては、水蒸気、空気、および酸素などが挙げられる。
【００６２】
改質器は、例えば、容器に改質触媒が充填される。改質触媒は、例えば、ニッケル、ルテニウム、白金、ならびにロジウムのうち少なくとも一つを含浸したアルミナ担体を用いることができる。なお、改質触媒は、本例に限定されるものではなく、改質触媒を最適な温度範囲に維持した場合に改質反応を進行させ得る触媒であれば、いかなる材料であっても構わない。
【００６３】
図１には示されていないが、各改質反応において必要となる機器が適宜設けられてもよい。例えば、改質反応が水蒸気改質反応であれば、改質器を加熱する燃焼部と水蒸気を生成する蒸発器とが設けられてもよい。燃焼部の燃料は、いずれの燃料であってもよいが、例えば、改質器より排出される水素含有ガスが用いられてもよい。水蒸気を生成するための熱源は特に限定されない。該熱源としては、例えば、燃焼部、電熱ヒータ、改質器、及び燃料電池のいずれか、またはそれらの任意の組合せ等とすることができる。改質反応が部分酸化反応であれば、さらに、改質器に空気を供給する空気供給器（図示せず）が設けられてもよい。
【００６４】
固体酸化物形燃料電池１０は、例えば、アノードとカソードとの間で発電反応を行って発電する複数の燃料電池単セルを直列に接続したスタックを含むように構成される。固体酸化物形燃料電池１０は、円筒型のセルを直列に接続したスタックを含んで構成されてもよい。スタックは、アノードオフガスとカソードオフガスとがそれぞれ混合されることなく排出される密閉型であってもよいし、アノードオフガスとカソードオフガスとが混合された後に排出される開放型であってもよい。開放型スタックの場合、アノードオフガスとカソードオフガスはスタック直後の混合器で混合されたのち燃焼されてもよい。
【００６５】
燃料電池単セルには、例えば、イットリア安定化ジルコニア（ＹＳＺ）を電解質等に用いた公知の構成を採用しうる。燃料電池単セルの材料としては、イットリビウムやスカンジウムをドープしたジルコニア、あるいはランタンガレート系の固体電解質を用いることもできる。イットリア安定化ジルコニアを用いた燃料電池単セルでは、電解質の厚みにも依存するが、例えば、５００℃〜９００℃程度の温度範囲で発電反応が行われる。
【００６６】
固体酸化物形燃料電池１０の発電により得られた電力は、図示されない端子を介して外部負荷へと供給される。
【００６７】
混合器２４は、アノードガス流路１６から排出されるアノードオフガスとカソードガス流路２０から排出されるカソードオフガスとを混合する。混合器２４は、例えば、円筒型のセルを直列に接続したスタックの外部空間のうち、ガス排出口の近傍とすることができる。あるいは例えば、混合器２４は、円筒型のセルを直列に接続したスタックの外部空間のうち、スタック外部を通流するガスとスタック内部からガス排出口を通じて排出されるガスとが混合される部分とすることができる。混合器２４は燃焼部であってもよい。あるいは、混合器２４の下流側に燃焼部が設けられてもよい。燃焼部は、固体酸化物形燃料電池１０において発電に未利用の水素含有ガスと酸化剤ガスとを火炎燃焼させるための領域である。燃焼部内には点火器が設けられており、この燃焼部内に導かれた水素含有ガスが点火器により着火され、酸化剤ガスとともに火炎燃焼する。そして、この火炎燃焼により、燃料電池ユニット１２で必要な熱を発生させるとともに燃焼排ガスが生成される。生成された燃焼排ガスは、後述する排ガス流路を通じて系外に放出される。
【００６８】
つまり、燃料電池ユニット１２では、固体酸化物形燃料電池１０の発電時には、燃焼部にて、アノード側から排出される水素含有ガスと、カソード側から排出される酸化剤ガスとを火炎燃焼させて大量の熱を発生させるとともに、高温の燃焼排ガスが生成される。火炎燃焼により発生する燃焼排ガスが有する排熱は、燃料電池ユニット１２内部で、固体酸化物形燃料電池１０を発電反応に適した温度に保持したり、改質器を改質反応に適した温度に加熱したりするために使われる。
【００６９】
一方、燃焼排ガスは、排ガス流路を通じて系外に放出されるが、高温の燃焼排ガスが持つ熱エネルギーを有効に利用するために、例えば、排ガス流路の途中に熱交換器を設けて、カソードに送られる酸化剤ガスとの熱交換により、該酸化剤ガスを昇温することで、よりエネルギー利用率の高い運転が可能になる。
【００７０】
発電原料供給器１４は、燃料電池ユニット１２に発電原料を供給する。発電原料供給器１４は、例えば、昇圧器と流量調整弁により構成されるが、これらのいずれか一方により構成されてもよい。昇圧器は、例えば、定容積型ポンプが用いられるが、これに限定されるものではない。発電原料は、発電原料供給源より供給される。発電原料供給源は、所定の供給圧を有していてもよい。所定の供給圧を有する発電原料供給源は、例えば、原料ガスボンベ、原料ガスインフラ等が挙げられる。
【００７１】
発電原料は、水素ガスであってもよいし、少なくとも炭素及び水素を構成元素とする有機化合物を含有する物質であってもよい。具体的には、水素ガス、天然ガス、都市ガス、ＬＰＧ、ＬＮＧ、プロパンガス、ブタンガス、メタンを主成分とするガス等の炭化水素、及びメタノール、エタノール等のアルコール、灯油が例示される。都市ガスとは、ガス会社から配管を通じて各家庭等に供給されるガスをいう。灯油及びアルコール等の液体の発電原料を用いる場合には、発電原料が改質器に供給される前に、発電原料が加熱されて気化されてもよい。
【００７２】
可燃性ガス流路１８は、発電原料供給器１４からアノードガス流路１６の下流端に至る流路である。
【００７３】
酸化剤ガス供給器２２は、カソードガス流路２０に酸化剤ガスを供給する。酸化剤ガス供給器２２は、例えば、シロッコファン等としうる。酸化剤ガスは、例えば、空気とすることができる。
【００７４】
制御器５０は、燃料電池ユニット１２の発電停止後に、発電原料供給器１４を制御して可燃性ガス流路１８の容積以上の体積の発電原料を可燃性ガス流路１８に供給し、同時に、酸化剤ガス供給器２２を制御してカソードガス流路２０に酸化剤ガスを供給する。
【００７５】
ここで、「同時に」とは、発電原料の補給と酸化剤ガスの供給の両方が発電停止後に行われていればよく、開始のタイミング及び／または終了のタイミングが一致している必要はないし、両者が重なっていなくてもよい。発電原料の補給と酸化剤ガスの供給とは、発電停止前から継続して行われていてもよい。発電原料の補給と酸化剤ガスの供給とが、少なくとも一部で重なっていてもよい。
【００７６】
かかる制御により、燃料電池ユニット１２の発電停止後に、可燃性ガス流路１８が発電原料でパージされる。乾燥した発電原料が供給され、可燃性ガス流路１８中に残留する露点の高いガスが追い出されることで、可燃性ガス流路１８中の露点が低下する。可燃性ガス流路１８内で凝縮水が発生する可能性が低減されることで、凝縮水によるアノード劣化の可能性を低減できる。
【００７７】
燃料電池ユニット１２の発電停止後に、発電原料を可燃性ガス流路１８に供給すると、可燃性ガス流路１８から混合器２４へと発電原料が流出する可能性がある。発電原料が混合器２４を通じてカソードガス流路２０に含まれるカソードと接触すると、カソードの還元による劣化が生じる可能性がある。上記制御によれば、可燃性ガス流路１８から混合器２４へと発電原料が流出しても、カソードガス流路２０には酸化剤ガスが供給されているため、発電原料がカソードに接触しにくくなる。よって、カソードの還元による劣化が生じる可能性を低減できる。
【００７８】
制御器５０は、制御機能を有するものであればよく、演算処理部と、制御プログラムを記憶する記憶部とを備える。例えば、制御器５０は、マイクロコントローラ、ＰＬＣ（Programmable Logic Controller）等が例示される。また、演算処理部としては、ＭＰＵ、ＣＰＵが例示される。記憶部としては、メモリが例示される。制御器５０は、集中制御を行う単独の制御器で構成されていてもよく、互いに協働して分散制御を行う複数の制御器で構成されていてもよい。
【００７９】
制御器５０は、燃料電池ユニット１２の発電停止後にカソードガス流路２０に供給される酸化剤ガスの体積を、カソードガス流路２０の容積以上となるように、酸化剤ガス供給器２２を制御してもよい。
【００８０】
かかる制御により、可燃性ガス流路１８から混合器２４へと発電原料が流出しても、カソードガス流路２０には十分な量の酸化剤ガスが供給されるため、発電原料がカソードにより接触しにくくなる。よって、カソードの還元による劣化が生じる可能性をより効果的に低減できる。また、発電原料及びアノードオフガス等の可燃性ガスが固体酸化物形燃料電池システムの外部に排出される場合でも、該排出の前に可燃性ガスを酸化剤ガスで希釈することができる。
【００８１】
制御器５０は、燃料電池ユニット１２の発電停止後に可燃性ガス流路１８への発電原料の供給を停止した後も、カソードガス流路２０への酸化剤ガスの供給が継続されるように、酸化剤ガス供給器を制御してもよい。
【００８２】
かかる制御により、可燃性ガス流路１８から混合器２４へと発電原料が流出しても、カソードガス流路２０には酸化剤ガスが供給され続けるため、発電原料がカソードに接触することを防止することができる。よって、カソードの還元による劣化が生じる可能性をより効果的に低減できる。また、酸化剤ガスにより燃料電池ユニット１２をより迅速に冷却できる。
【００８３】
混合器２４が、アノードオフガスとカソードオフガスとの混合ガスを燃焼させる点火器を備えると共に、制御器５０が、燃料電池ユニット１２の発電停止後に、アノードオフガスとカソードオフガスとの混合ガスを燃焼させるように該点火器を制御してもよい。
【００８４】
かかる構成により、混合ガスが可燃性ガスである場合でも、該可燃性ガスは燃焼されて燃焼排ガスとして排出される。該可燃性ガスが固体酸化物形燃料電池システム１の外部にそのまま排出される可能性を低減することができる。
【００８５】
この場合、混合器２４の所定の領域内に点火器を設け、燃焼部が構成されうる。該燃焼部は、アノードオフガスとカソードオフガスとを混合して燃焼させる。該燃焼部は、燃焼熱及び燃焼排ガスの熱を用いて改質器を加熱可能に構成されてもよい。
【００８６】
制御器５０は、燃料電池ユニット１２の発電停止後において、固体酸化物形燃料電池１０の温度が１００℃以上かつ４００℃以下である時に、可燃性ガス流路１８への発電原料の供給を開始してもよい。温度範囲の下限は、例えば、凝縮水発生の可能性を低減するために設定されうる。温度範囲の上限は、例えば、炭素析出により脱硫器、改質器、及び燃料電池の触媒性能が低下する可能性及び可燃性ガス流路が閉塞する可能性を低減するために設定されうる。
【００８７】
制御器５０は、燃料電池ユニット１２の発電停止後において、固体酸化物形燃料電池１０の温度が１２０℃以上かつ１６０℃以下である時に、可燃性ガス流路１８への発電原料の供給を開始してもよい。
【００８８】
炭素が析出する可能性を低減するためには、上記温度範囲の上限を３００℃としてもよい。
【００８９】
制御器５０は、燃料電池ユニット１２の発電停止後において、固体酸化物形燃料電池１０の温度が所定温度まで低下したら、可燃性ガス流路１８への発電原料の供給を停止してもよい。該所定温度は、例えば、１５０℃としてもよいし、１２０℃としてもよいし、１００℃としてもよい。
【００９０】
固体酸化物形燃料電池１０の温度は、例えば、可燃性ガス流路１８を通流するガスの温度を検出することで、間接的に取得されてもよい。つまり、第１実施形態にかかる固体酸化物形燃料電池システムでは、固体酸化物形燃料電池１０と燃料電池ユニット１２内における可燃性ガス流路１８部分との温度とは同様の温度となる構成である。このため、燃料電池ユニット１２の発電停止後において、固体酸化物形燃料電池１０の温度が１００℃以上かつ４００℃以下である時には、燃料電池ユニット１２内における可燃性ガス流路１８を流通するガスの温度も１００℃以上かつ４００℃以下となる。このため、可燃性ガス流路１８部分を通流するガスの温度を検出することで、間接的に固体酸化物形燃料電池１０の温度を取得することができる。しかしながら、固体酸化物形燃料電池１０と燃料電池ユニット１２内における可燃性ガス流路１８との温度とが同様の温度とならない構成である場合、制御器５０は、燃料電池ユニット１２の発電停止後において、固体酸化物形燃料電池１０の温度が１００℃以上かつ４００℃以下である時、ならびに燃料電池ユニット１２における可燃性ガス流路１８部分を流通するガス温度が１００℃以上かつ４００℃以下である時に、可燃性ガス流路１８への発電原料の供給を開始してもよい。
【００９１】
発電原料供給器１４から固体酸化物形燃料電池１０に至る可燃性ガス流路１８に、発電原料中に含まれる硫黄化合物を除去する脱硫器が設けられてもよい。発電原料供給器１４から固体酸化物形燃料電池１０に至る可燃性ガス流路１８に改質器が設けられる場合には、発電原料供給器１４から改質器に至る可燃性ガス流路１８に、発電原料中に含まれる硫黄化合物を除去する脱硫器が設けられてもよい。
【００９２】
硫黄化合物は、付臭成分として人為的に原料へ添加されるものであってもよいし、原料自体に由来する天然の硫黄化合物であってもよい。具体的には、ターシャリブチルメルカプタン（ＴＢＭ：tertiary-butylmercaptan）、ジメチルスルフィド（ＤＭＳ：dimethyl sulfide）、テトラヒドロチオフェン（ＴＨＴ：Tetrahydrothiophene）、硫化カルボニル（ＣＯＳ：carbonyl sulfide）、硫化水素（hydrogen sulfide）等が例示される。
【００９３】
脱硫器は、水添脱硫器であってもよいし、常温脱硫器であってもよい。
【００９４】
水添脱硫器は、容器に水添脱硫剤が充填され構成される。水添脱硫剤は、例えば、硫黄化合物を硫化水素に変換する機能と硫化水素を吸着する機能を共に有するＣｕＺｎ系触媒が用いられる。水添脱硫剤は、本例に限定されるものではなく、原料ガス中の硫黄化合物を硫化水素に変換するＣｏＭｏ系触媒と、その下流に設けられる、硫化水素を吸着除去する硫黄吸着剤であるＺｎＯ系触媒、またはＣｕＺｎ系触媒とで構成してもよい。
【００９５】
水添脱硫剤に、触媒金属としてニッケル（Ｎｉ）を含む場合がある。この場合、水添脱硫器の暖機前の低温時（例えば、１５０℃未満）に、原料及びリサイクルガスを水添脱硫剤に供給すると、ニッケルカルボニルガスが生成する可能性がある。かかる可能性を低減するために、図示しない温度検知器等を用いて脱硫器内の水添脱硫剤の温度が検知され、脱硫器内の水添脱硫剤が所定の温度以上になっている場合にのみ発電原料が水添脱硫器に供給されてもよい。
【００９６】
常温脱硫器は、原料中の硫黄化合物を常温で除去する。常温とは、水添脱硫器の使用温度（例えば、３００℃前後）に比べ相対的に常温域に近いことから使用しており、常温域から使用脱硫剤が脱硫剤として有効に機能する温度までを含む意味である。
【００９７】
水添脱硫剤が銅及び亜鉛を含む場合、水添脱硫器は例えば、約１５０℃〜３５０℃が適温の動作範囲となる。吸着脱硫剤の場合は、Ａｇゼオライト系触媒等が用いられ、脱硫器は常温で用いられる。
【００９８】
［停止方法］
図２は、第１実施形態にかかる固体酸化物形燃料電池システムの停止方法の一例を示すフローチャートである。以下、図２を参照しつつ、第１実施形態にかかる固体酸化物形燃料電池システムの停止方法を説明する。図２に示す停止方法は、例えば、制御器５０が発電原料供給器１４と酸化剤ガス供給器２２とを制御することにより実行されうる。
【００９９】
燃料電池ユニット１２の発電が停止されると（スタート）、発電原料供給器１４により、可燃性ガス流路１８の容積以上の体積の発電原料が可燃性ガス流路１８に供給される（ステップＳ１）。同時に、酸化剤ガス供給器２２により、カソードガス流路２０に酸化剤ガスが供給され（ステップＳ２）、停止動作が完了する（エンド）。
【０１００】
発電原料の供給（ステップＳ１）と、酸化剤ガスの供給（ステップＳ２）の前後関係は特に限定されず、後者が前者より先に開始されてもよいし、両者が同時に開始されてもよい。
【０１０１】
［第１変形例］
図３は、第１変形例にかかる固体酸化物形燃料電池システムの停止方法の一例を示すフローチャートである。以下、図３を参照しつつ、第１変形例にかかる固体酸化物形燃料電池システムの停止方法を説明する。図３に示す停止方法は、例えば、制御器５０が発電原料供給器１４と酸化剤ガス供給器２２とを制御することにより実行されうる。
【０１０２】
燃料電池ユニット１２の発電が停止されると（スタート）、発電原料供給器１４により、可燃性ガス流路１８の容積以上の体積の発電原料が可燃性ガス流路１８に供給される（ステップＳ１）。同時に、酸化剤ガス供給器２２により、カソードガス流路２０に酸化剤ガスが供給される（ステップＳ２）。
【０１０３】
その後、可燃性ガス流路１８への発電原料の供給が停止されるが、カソードガス流路２０への酸化剤ガスの供給は継続される（ステップＳ３）。その後、停止動作が完了する（エンド）。
【０１０４】
発電原料の供給（ステップＳ１）と、酸化剤ガスの供給（ステップＳ２）の前後関係は特に限定されず、後者が前者より先に開始されてもよいし、両者が同時に開始されてもよい。発電原料の供給が停止された後、どの程度、酸化剤ガスの供給が継続されるかは特に限定されない。
【０１０５】
［第２変形例］
図４は、第２変形例にかかる固体酸化物形燃料電池システムの停止方法の一例を示すフローチャートである。以下、図４を参照しつつ、第２変形例にかかる固体酸化物形燃料電池システムの停止方法を説明する。図４に示す停止方法は、例えば、制御器５０が発電原料供給器１４と酸化剤ガス供給器２２とを制御することにより実行されうる。なお、本変形例は、上述した、混合器２４の燃焼部において点火器を備える場合の例である。
【０１０６】
燃料電池ユニット１２の発電が停止されると（スタート）、発電原料供給器１４により、可燃性ガス流路１８の容積以上の体積の発電原料が可燃性ガス流路１８に供給される（ステップＳ１）。同時に、酸化剤ガス供給器２２により、カソードガス流路２０に酸化剤ガスが供給される（ステップＳ２）。
【０１０７】
その後、点火器により混合ガスが点火される（ステップＳ３）。その後、停止動作が完了する（エンド）。
【０１０８】
発電原料の供給（ステップＳ１）と、酸化剤ガスの供給（ステップＳ２）と、点火器による点火（ステップＳ３）との前後関係は特に限定されず、どのような順番で実行されてもよい。いずれか２つあるいは３つが同時に実行されてもよい。
【０１０９】
［第１実施例］
図５は、第１実施例にかかる固体酸化物形燃料電池システムの概略構成を示すブロック図である。以下、図５を参照しつつ、第１実施例にかかる固体酸化物形燃料電池システム１００について説明する。
【０１１０】
図５に示す例において、固体酸化物形燃料電池システム１００は、固体酸化物形燃料電池１１０と混合器１２４と改質器１２６とを備える燃料電池ユニット１１２と、発電原料供給器１１４と、脱硫器１２８と、可燃性ガス流路１１８と、酸化剤ガス供給器１２２と、改質水供給器１３０と、排気部１３２と、制御器１５０と、を備える。
【０１１１】
改質器１２６は、原料を用いて水素含有ガスを生成してもよい。具体的には、改質器１２６において、原料ガスが改質反応して、水素含有ガスが生成されてもよい。改質反応は、いずれの形態であってもよく、例えば、水蒸気改質反応、オートサーマル反応及び部分酸化反応等が挙げられる。
【０１１２】
改質水供給器１３０は、改質器１２６での改質反応に必要な水を供給する。水としては、例えば、イオン交換した市水等を用いることができる。
【０１１３】
図５には示されていないが、各改質反応において必要となる機器が適宜設けられてもよい。例えば、改質反応が水蒸気改質反応であれば、改質器１２６を加熱する燃焼部と水蒸気を生成する蒸発器とが設けられてもよい。燃焼部の燃料は、いずれの燃料であってもよいが、例えば、改質器１２６より排出される水素含有ガスが用いられてもよい。水蒸気を生成するための熱源は特に限定されない。該熱源としては、例えば、燃焼部、電熱ヒータ、改質器、及び燃料電池のいずれか、またはそれらの任意の組合せ等とすることができる。改質反応が部分酸化反応であれば、さらに、改質器１２６に空気を供給する空気供給器（図示せず）が設けられてもよい。
【０１１４】
脱硫器１２８は、原料中の硫黄化合物を常温で除去する常温脱硫器である。脱硫器１２８は、燃料電池ユニット１１２の外部に配置されうる。常温脱硫器については、第１実施形態で述べたものと同様の構成とすることができるので、詳細な説明を省略する。
【０１１５】
排気部１３２は、混合器１２４から排出される排気ガスを排出する。
【０１１６】
以上に述べた点を除き、固体酸化物形燃料電池１１０と、混合器１２４と、燃料電池ユニット１１２と、発電原料供給器１１４と、脱硫器１２８と、可燃性ガス流路１１８と、酸化剤ガス供給器１２２と、制御器１５０とは、それぞれ、固体酸化物形燃料電池１０と、混合器２４と、燃料電池ユニット１２と、発電原料供給器１４と、脱硫器１２８と、可燃性ガス流路１８と、酸化剤ガス供給器２２と、制御器５０と同様の構成とすることができる。よって、それらの構成要素については詳細な説明を省略する。
【０１１７】
図６は、第１実施例にかかる固体酸化物形燃料電池システムの停止方法の一例を示すフローチャートである。以下、図６を参照しつつ、第１実施例にかかる固体酸化物形燃料電池システムの停止方法について説明する。図６に示す停止方法は、例えば、制御器１５０が発電原料供給器１１４と酸化剤ガス供給器１２２とを制御することにより実行されうる。
【０１１８】
燃料電池ユニット１１２の発電停止が指令されると（スタート）、まず、燃料電池ユニット１１２の発電が停止され（ステップＳ１０１）、発電原料及び酸化剤ガスの供給は停止される。発電の停止とは、具体的には例えば、燃料電池ユニット１１２からの電力の取り出しが停止されることとしうる。発電原料を供給停止してから所定時間（例えば、数分）が経過した後に酸化剤ガスの供給を停止してもよい。
【０１１９】
その後、スタック温度（固体酸化物形燃料電池１１０の温度、以下同様）がＴ１を下回ったら（ステップＳ１０２でＮｏ）、酸化剤ガス供給器２２による、カソードガス流路２０への酸化剤ガス供給が開始される（ステップＳ１０３）。Ｔ１は、例えば、３００℃とすることができる。
【０１２０】
その後、スタック温度がＴ２を下回ったら（ステップＳ１０２でＮｏ）、発電原料供給器１４による、可燃性ガス流路１８への発電原料供給が開始される（ステップＳ１０５）。なお、第１実施例の発電原料は、ＬＮＧ等の原料ガスとしている。Ｔ２は、例えば、１５０℃とすることができる。
【０１２１】
その後、原料供給時間（ステップＳ１０５において原料ガス供給が開始された時刻からの経過時間）がｔ３となるまで、発電原料の供給は継続される。ｔ３は、可燃性ガス流路１８への発電原料の供給量（体積）が、可燃性ガス流路１８の容積以上となるように、適宜設定される。発電原料が液体である場合には、発電原料の供給量は、発電原料が気化してガスになった際の体積とすることができる。原料供給時間がｔ３以上となると（ステップＳ１０６でＹｅｓ）、発電原料の供給が停止される（ステップＳ１０７）。
【０１２２】
その後、スタック温度がＴ３を下回ったら（ステップＳ１０８）、酸化剤ガスの供給が停止され（ステップＳ１０９）、固体酸化物形燃料電池システム１００の運転が停止され（ステップＳ１１０）、停止動作が終了する（エンド）。Ｔ３は、例えば、９０℃とすることができる。
【０１２３】
なお、上述の例では、原料供給時間に基づいて、可燃性ガス流路１８への発電原料の供給量（体積）が可燃性ガス流路１８の容積以上となっているか否かの判定を行うこととしたが、他の方法で判定が行われてもよい。例えば、原料供給時間に加え、発電原料供給器１１４へと出力された操作量も考慮して、発電原料の供給量が求められてもよい。
【０１２４】
（第２実施形態）
第２実施形態の固体酸化物形燃料電池システムは、第１実施形態の固体酸化物形燃料電池システムにおいて、燃料電池ユニットが、発電原料供給器から供給される発電原料中の硫黄化合物を除去する水添脱硫器を備えるものである。
【０１２５】
かかる構成では、凝縮水により脱硫触媒が劣化する可能性が低減される。よって、水添脱硫器を備える固体酸化物形燃料電池システムの耐久性を向上させることができる。
【０１２６】
［装置構成］
図７は、第２実施形態にかかる固体酸化物形燃料電池システムの概略構成の一例を示すブロック図である。以下、図７を参照しつつ、第２実施形態の固体酸化物形燃料電池システム２について説明する。
【０１２７】
図７に示す例において、固体酸化物形燃料電池システム２は、水添脱硫器２６を備える。
【０１２８】
水添脱硫器２６は、発電原料供給器１４から供給される発電原料中の硫黄化合物を除去する。図７に示す例では、水添脱硫器２６は、発電原料供給器１４から固体酸化物形燃料電池１０に至る可燃性ガス流路１８に設けられている。
【０１２９】
固体酸化物形燃料電池１０は、水添脱硫器２６で脱硫された発電原料をそのまま用いて発電してもよいし、水添脱硫器２６で脱硫された発電原料が改質器等により改質されて得られる改質ガスを用いて発電してもよい。
【０１３０】
水添脱硫器２６は、容器に水添脱硫剤が充填され構成される。水添脱硫剤は、例えば、硫黄化合物を硫化水素に変換する機能と硫化水素を吸着する機能を共に有するＣｕＺｎ系触媒が用いられる。水添脱硫剤は、本例に限定されるものではなく、原料ガス中の硫黄化合物を硫化水素に変換するＣｏＭｏ系触媒と、その下流に設けられる、硫化水素を吸着除去する硫黄吸着剤であるＺｎＯ系触媒、またはＣｕＺｎ系触媒とで構成してもよい。
【０１３１】
制御器５０は、燃料電池ユニット１２の発電停止後に、発電原料供給器１４を制御して可燃性ガス流路１８の容積以上の体積の発電原料を可燃性ガス流路１８に供給し、同時に、酸化剤ガス供給器２２を制御してカソードガス流路２０に酸化剤ガスを供給する。発電停止後において、発電原料供給器１４から供給される発電原料は、水添脱硫器２６を経由して固体酸化物形燃料電池１０へと流入する。
【０１３２】
かかる制御により、燃料電池ユニット１２の発電停止後に、可燃性ガス流路１８が発電原料でパージされる。乾燥した発電原料が供給され、可燃性ガス流路１８中に残留する露点の高いガスが追い出されることで、可燃性ガス流路１８中の露点が低下する。可燃性ガス流路１８内で凝縮水が発生する可能性が低減されることで、凝縮水による水添脱硫器２６が備える触媒の劣化が生じる可能性を低減できる。
【０１３３】
以上の点を除き、第２実施形態の固体酸化物形燃料電池システム２は、図１に示した第１実施形態の固体酸化物形燃料電池システムと同様とすることができる。よって、図７と図１とで共通する構成要素については、同一の符号および名称を付して詳細な説明を省略する。
【０１３４】
［停止方法］
第２実施形態にかかる固体酸化物形燃料電池システムの停止方法は、第１実施形態と同様とすることができるので、詳細な説明を省略する。
【０１３５】
第２実施形態においても、第１実施形態と同様の変形が可能である。
【０１３６】
［第２実施例］
図８は、第２実施例にかかる固体酸化物形燃料電池システムの概略構成を示すブロック図である。以下、図８を参照しつつ、第２実施例にかかる固体酸化物形燃料電池システム２００について説明する。
【０１３７】
図８に示す例において、固体酸化物形燃料電池システム２００は、第１弁１３４と、バイパス流路１３６と、第２弁１３７と、第１脱硫器１３８と、リサイクルガス流路１４０と、第３弁１４１と、第２脱硫器１４２と、点火器１２５と、を備えている。
【０１３８】
第１弁１３４は、発電原料供給器１１４から第１脱硫器１３８に至る可燃性ガス流路１１８に設けられて、可燃性ガス流路１１８を開閉する弁である。第１弁１３４は、制御器１５０により開閉制御されてもよい。
【０１３９】
バイパス流路１３６は、発電原料供給器１１４から第１弁１３４に至る可燃性ガス流路１１８から分岐して、第１脱硫器１３８を経由せずに第１脱硫器１３８の下流側に接続される流路である。
【０１４０】
第２弁１３７は、バイパス流路１３６に設けられて、バイパス流路１３６を開閉する弁である。第２弁１３７は、制御器１５０により開閉制御されてもよい。
【０１４１】
第１脱硫器１３８は、原料中の硫黄化合物を常温で除去する常温脱硫器である。第１脱硫器１３８は、燃料電池ユニット１１２の外部に配置されうる。常温脱硫器については、第１実施形態で述べたものと同様の構成とすることができるので、詳細な説明を省略する。
【０１４２】
リサイクルガス流路１４０は、改質器１２６から固体酸化物形燃料電池１１０に至る可燃性ガス流路１１８から分岐して、バイパス流路１３６から第２脱硫器１４２に至る可燃性ガス流路１１８に接続される流路である。
【０１４３】
第３弁１４１は、リサイクルガス流路１４０に設けられて、リサイクルガス流路１４０を開閉する弁である。第３弁１４１は、制御器１５０により開閉制御されてもよい。
【０１４４】
第２脱硫器１４２は、水添脱硫器である。第２脱硫器１４２は、燃料電池ユニット１１２の外部に配置されうる。水添脱硫器については、第１実施形態及び第２実施形態で述べたものと同様の構成とすることができるので、詳細な説明を省略する。
【０１４５】
点火器１２５は、例えば、混合器１２４の内部に設けられ、混合器１２４においてアノードオフガスとカソードオフガスとが混合されて得られる混合ガスを燃焼させる。点火器１２５は、制御器１５０により点火制御されてもよい。
【０１４６】
以上に述べた点に加え、脱硫器１２８が省略されている点を除き、固体酸化物形燃料電池システム２００は、第１実施例の固体酸化物形燃料電池システム１００と同様の構成とすることができる。よって、図５と図８とで共通する構成要素については、同一の符号及び名称を付して、詳細な説明を省略する。
【０１４７】
図９は、第２実施例にかかる固体酸化物形燃料電池システムの停止方法を示すフローチャートである。以下、図９を参照しつつ、第２実施例にかかる固体酸化物形燃料電池システムの停止方法について説明する。図９に示す停止方法は、例えば、制御器１５０が発電原料供給器１１４と酸化剤ガス供給器１２２とを制御することにより実行されうる。
【０１４８】
図９において、燃料電池ユニット１１２の発電が停止されてから（スタート）、発電原料供給器１１４による、可燃性ガス流路１１８への発電原料供給が開始される（ステップＳ２０５）までの動作は、図６に示したスタートからステップＳ１０５までの動作と同様とすることができる。よって、ステップＳ２０１からＳ２０５までの動作については、詳細な説明を省略する。
【０１４９】
ステップＳ２０５で、可燃性ガス流路１１８への発電原料供給が開始されると、点火器１２５により混合ガスが点火される（ステップＳ２０６）。
【０１５０】
その後、原料供給時間（ステップＳ２０５において原料ガス供給が開始された時刻からの経過時間）がｔ３となるまで、発電原料の供給は継続される。ｔ３は、可燃性ガス流路１８への発電原料の供給量（体積）が、可燃性ガス流路１８の容積以上となるように、適宜設定される。発電原料が液体である場合には、発電原料の供給量は、発電原料が気化してガスになった際の体積とすることができる。原料供給時間がｔ３以上となると（ステップＳ２０７でＹｅｓ）、発電原料の供給が停止される（ステップＳ２０８）。
【０１５１】
ステップＳ２０８から停止動作終了（エンド）までの動作は、図６に示したステップＳ１０７から停止動作終了（エンド）までの動作と同様とすることができる。よって、ステップＳ２０８からＳ２１１までの動作については、詳細な説明を省略する。
【０１５２】
（第３実施形態）
ところで、固体酸化物形燃料電池システムの運転を停止させる際に実行する運転停止工程において、高温で動作している固体酸化物形燃料電池および改質器などを所定温度まで冷却させるとともに、改質器内部、燃料電池内部、および水素含有ガスを流通させる流路内に残留している水素含有ガスのパージを行う必要がある。なぜならば、残留した水素含有ガスは水蒸気を含むため、冷却過程において温度が露点以下になると水が凝縮してしまう。そして、この凝縮水が改質器または脱硫器それぞれに充填された触媒の耐久性を著しく低下させてしまう原因となるからである。
【０１５３】
上記した特許文献２に係る燃料電池システムでは、運転停止工程において、シャットダウン停止後、温度下降制御を行って燃料電池モジュール内の温度が所定温度まで低下すると、供給を停止していた改質用空気および発電用空気を供給させる。この構成により、改質器、燃料ガス供給管、マニホールド等が設けられた燃料ガス通路、および各燃料電池セルユニットの内部のアノードを、空気によりパージすることができる。また、発電室内の空気極、排気通路、および空気用熱交換器などが設けられた排気ガス通路内も空気によりパージすることができる。
【０１５４】
ここで、本発明者らは「背景技術」にて記載した特許文献２に係る燃料電池システムに関して鋭意研究したところ、以下の知見を得た。
【０１５５】
まず改質器で実施する改質反応として、例えば水蒸気改質反応など改質用空気を利用しないものがある。このため、燃料電池システムは、必ずしも改質用空気を改質器に供給する構成となっているとは限らない。このように改質用空気を改質器に供給する必要のない燃料電池システムにおいて、特許文献２のようにカソード（空気極）に至る流路と、アノード（燃料極）に至る流路とを共に空気によりパージする構成とすると、アノードに至る流路に空気を流通させる機構を別途、設ける必要があり、システムの大型化を招いてしまう。
【０１５６】
そこで、本発明者らは、アノードに至る流路を空気の代わりに発電原料を用いてパージする構成を検討した。この構成の場合、パージのためにアノードに至る流路に空気を流通させる機構を別途、設ける必要なく、システムの大型化を招くことを防ぐことができる。しかしながら、このように発電原料を用いてパージする燃料電池システムの場合、運転停止工程においてパージに用いられた、可燃性の発電原料をそのまま燃料電池システムの系外に排気することとなり、安全性の面で問題があることに気付いた。
【０１５７】
以上の知見に基づいて、本発明者らは、系外に排気する前に、パージに用いた可燃性の発電原料を燃焼させることで、安全に運転停止させることができることを見出した。また、発電原料の燃焼により固体酸化物形燃料電池が過昇温することを防ぐため、固体酸化物形燃料電池の温度が適切な温度範囲となるように発電原料の燃焼を工夫させる必要性を見出した。具体的には、第３実施形態に係る固体酸化物形燃料電池システムを以下に示すように構成する。
【０１５８】
[装置構成]
まず、図１０を参照して本発明の第３実施形態に係る固体酸化物形燃料電池システム３の構成について説明する。図１０は、本発明の第３実施形態に係る固体酸化物形燃料電池システム３の概略構成の一例を示すブロック図である。
【０１５９】
図１０に示すように、固体酸化物形燃料電池システム３は、固体酸化物形燃料電池３１０を含む燃料電池ユニット３１２と、発電原料供給器３１４と、酸化剤ガス供給器３２２と、可燃性ガス流路３１８と、酸化剤ガス流路３１９と、排ガス流路３１７と、制御器３１２とを備えている。また、燃料電池ユニット３１２は、固体酸化物形燃料電池３１０に加えて、改質器３２６と、混合器３２４を備えてなる構成である。混合器３２４内には、点火器３２５が設けられた燃焼部３２７が形成されている。
【０１６０】
すなわち、上記した固体酸化物形燃料電池システム１の構成において、混合器３２４内に点火器３２５を備えた燃焼部３２７がさらに設けられた構成となっている。そして、燃焼部３２７が改質器３２６と隣接して配置された構成となっている。
【０１６１】
ただし、固体酸化物形燃料電池システム１が備える発電原料供給器１４、および酸化剤ガス供給器２２、固体酸化物形燃料電池１０と、固体酸化物形燃料電池システム３が備える発電原料供給器３１４、酸化剤ガス供給器３２２、および固体酸化物形燃料電池３１０とは共通するため、これらの部材についての説明については省略する。
【０１６２】
図１０に示すように、固体酸化物形燃料電池システム３では、発電原料供給器３１４から改質器３２６を介して、固体酸化物形燃料電池３１０のアノードに至る流路であり、可燃性ガスが流通する可燃性ガス流路３１８が設けられている。可燃性ガス流路３１８は、図１０において、発電原料供給器３１４から、固体酸化物形燃料電池３１０の水素含有ガスが流れるアノードガス流路３１６の下流端に至るまでの区間に相当する。すなわち、可燃性ガス流路３１８は、発電原料を発電原料供給器３１４から改質器３２６に導くための流路と、改質器３２６で発電原料が改質され生成された水素含有ガスを、固体酸化物形燃料電池３１０に導くための流路と、アノードガス流路３１６とを足し合わせた流路である。
【０１６３】
また、固体酸化物形燃料電池システム３では、酸化剤ガス供給器３２２から、固体酸化物形燃料電池３１０のカソードに至る流路であり、酸化剤ガスが流通する酸化剤ガス流路３１９が設けられている。酸化剤ガス流路３１９は、図１０において、酸化剤ガス供給器３２２から、固体酸化物形燃料電池３１０の酸化剤ガスが流れるカソードガス流路３２０の下流端に至るまでの区間に相当する。
【０１６４】
燃焼部３２７は、固体酸化物形燃料電池３１０において発電に未利用の水素含有ガスと酸化剤ガスとを火炎燃焼させるための領域である。燃焼部３２７内には点火器３２５が設けられており、燃焼部３２７内に導かれた水素含有ガスが点火器３２５により着火され、酸化剤ガスとともに火炎燃焼する。そして、この火炎燃焼により、燃料電池ユニット３１２で必要な熱を発生させるとともに燃焼排ガスが生成される。生成された燃焼排ガスは、排ガス流路３１７を通じて系外に放出される。
【０１６５】
つまり、燃料電池ユニット３１２では、固体酸化物形燃料電池３１０の発電時には、燃焼部３２７にて、アノード側から排出される水素含有ガスと、カソード側から排出される酸化剤ガスとを火炎燃焼させて大量の熱を発生させるとともに、高温の燃焼排ガスが生成される。火炎燃焼により発生する燃焼排ガスが有する排熱は、燃料電池ユニット３１２内部で、固体酸化物形燃料電池３１０を発電反応に適した温度に保持したり、改質器３２６を改質反応に適した温度に加熱したりするために使われる。
【０１６６】
一方、燃焼排ガスは、排ガス流路３１７を通じて系外に放出されるが、高温の燃焼排ガスが持つ熱エネルギーを有効に利用するために、例えば、排ガス流路３１７の途中に熱交換器を設けて、カソードに送られる酸化剤ガスとの熱交換により、該酸化剤ガスを昇温することで、よりエネルギー利用率の高い運転が可能になる。
【０１６７】
なお、詳細は後述するが、固体酸化物形燃料電池システム３では、運転停止工程においてに発電原料を用いて可燃性ガス流路３１８をパージし、酸化剤ガスを用いて酸化剤ガス流路３１９をそれぞれパージする構成となっている。このため、パージが行われている場合、燃焼部３２７には固体酸化物形燃料電池３１０のアノード側から発電原料および該発電原料に押し出された、可燃性ガス流路３１８中に残留した水素含有ガスが導かれる。なお、本明細書では発電原料および残留した水素含有ガスを合わせて可燃性ガスと称する。一方、固体酸化物形燃料電池３１０のカソード側からは酸化剤ガスが導かれる。そして、燃焼部３２７において、点火器３２５は可燃性ガスに着火させ、酸化剤ガスとともに火炎燃焼させることとなる。
【０１６８】
改質器３２６は、発電原料と発電原料以外の反応ガスとを用いて、改質反応により水素含有ガスを生成する。改質器３２６で実施する改質反応としては、水蒸気改質反応、オートサーマル反応、および部分酸化反応などが例示される。改質器については、第１実施形態にかかる固体酸化物形燃料電池システム１の「装置構成」にて説明したため詳細な説明はここでは省略する。
【０１６９】
制御器３５０は、固体酸化物形燃料電池システム３の各部の各種動作を制御するものである。具体的には、制御器３５０は、固体酸化物形燃料電池システム３の運転停止工程においてパージを実行する場合、固体酸化物形燃料電池３１０の温度や改質器３２６の温度などに応じて、発電原料供給器３１４および酸化剤ガス供給器３２２を制御し、燃料電池ユニット３１２に供給する発電原料の供給量を調整したり、酸化剤ガスの供給量を調整したりする。
【０１７０】
かかる制御を実現する構成として、例えば、制御器３５０が計時器（図示せず）を備え、所定時間の経過により発電原料および酸化剤ガスの供給量をそれぞれ制御する構成としてもよい。あるいは、例えば、固体酸化物形燃料電池システム３が流量検出器（図示せず）を備え、累積流量により発電原料および酸化剤ガスの供給量をそれぞれ制御する構成としてもよい。流量検出器は、発電原料供給器３１４と一体に、ならびに酸化剤ガス供給器３２２と一体にそれぞれ構成されていてもよい。
【０１７１】
また、固体酸化物形燃料電池システム３は、改質器３２６の温度を検知するために、温度検知器が設けられてもよい。また、固体酸化物形燃料電池３１０の温度を検知するために、温度検知器が設けられてもよい。
【０１７２】
なお、発電量と固体酸化物形燃料電池システム３の運転停止工程の開始からの経過時間との関係から、ならびに固体酸化物形燃料電池システム３の運転停止工程の開始からの経過時間との関係から改質器３２６および固体酸化物形燃料電池３１０の温度が把握できる場合は、必ずしも上記した温度検知器を設けなくてもよい。
【０１７３】
（第３実施形態に係る固体酸化物形燃料電池システムの運転停止工程）
次に、第３実施形態に係る固体酸化物形燃料電池システム３の運転停止工程の具体例について、図１１および図１２を参照して説明する。図１１は、本発明の第３実施形態に係る固体酸化物形燃料電池システム３の運転停止工程の一例を示すフローチャートである。フローチャートに示す動作は、例えば、不図示の記憶部に記憶されたプログラムを制御器３５０が読み出し、実行することにより実現されうる。
【０１７４】
図１２は、図１１に示すフローチャートに従って固体酸化物形燃料電池システム３が動作した場合における各部の時系列変化の一例を示す図である。図１２では、改質器３２６、および固体酸化物形燃料電池３１０の温度変化、酸化剤ガスおよび発電原料の流量変化、燃焼部３２７における着火／消火の状態変化を時系列に対応づけて示している。また、発電原料流量の流量変化を示すグラフにおいて、ｔ＝０で発電原料を利用した可燃性ガス流路３１８のパージが開始され、ｔ＝ｔEで発電原料を利用した可燃性ガス流路３１８のパージが終了することを示す。また、単位時間あたりに供給される発電原料流量は説明の便宜上、一定流量（ＱF）とする。
【０１７５】
まず、固体酸化物形燃料電池システム３の運転停止工程が開始されると、固体酸化物形燃料電池３１０では発電を停止させる。このとき、制御器３５０は発電原料の、燃料電池ユニット３１２への供給を停止するように、発電原料供給器３１４を制御するとともに、酸化剤ガスの、燃料電池ユニット３１２への供給を停止するように、酸化剤ガス供給器３２２を制御する。このようにして固体酸化物形燃料電池３１０の発電が停止させられると、図１２に示すように固体酸化物形燃料電池３１０の温度はＴsmax付近から低下する。
【０１７６】
制御器３５０は、例えば、固体酸化物形燃料電池３１０の温度を検知するために設けられた不図示の第１温度検知器から、その検知結果として固体酸化物形燃料電池３１０の温度情報を受け付ける。そして、制御器３５０は、固体酸化物形燃料電池３１０の温度とあらかじめ設定された所定温度Ｔs1との大小関係を判定する（ステップＳ３１０）。
【０１７７】
なお、固体酸化物形燃料電池３１０において水素含有ガスに含まれる水蒸気が凝縮しない温度でかつ、パージ完了後に運転停止工程の終了と確認できる温度まで速やかに低下できる温度として所定温度Ｔs1が設定されている。この所定温度Ｔs1は、例えば１５０℃ぐらいの温度とすることができる。
【０１７８】
そして、制御器３５０は、固体酸化物形燃料電池３１０の温度がＴs1以下となったと判定した場合（ステップＳ３１０において「ＹＥＳ」）、酸化剤ガス供給器３２２を制御して酸化剤ガス流路３１９に酸化剤ガスを供給させるとともに、発電原料供給器３１４を制御して可燃性ガス流路３１８に発電原料を供給させる（ステップＳ３１１）。
【０１７９】
酸化剤ガス流路３１９に供給された酸化剤ガスは、この酸化剤ガス流路３１９を介して固体酸化物形燃料電池３１０に送られ、カソードガス流路３２０を含む酸化剤ガス流路３１９をパージするとともに、固体酸化物形燃料電池３１０を冷却する。そして、酸化剤ガス流路３１９をパージした酸化剤ガスは燃焼部３２７に導かれる。
【０１８０】
一方、可燃性ガス流路３１８に供給された発電原料は、この可燃性ガス流路３１８および改質器３２６を介して、固体酸化物形燃料電池３１０に送られ、アノードガス流路３１６を含む可燃性ガス流路３１８および改質器３２６をパージする。そして、可燃性ガスとして、可燃性ガス流路３１８および改質器３２６に残留していた水素含有ガスおよび発電原料が燃焼部３２７に導かれる。このように、固体酸化物形燃料電池システム３では、発電停止後に固体酸化物形燃料電池３１０の温度がＴs1以下となることをトリガとして、パージが開始される。
【０１８１】
次に、制御器３５０は、燃焼部３２７に設けられた点火器３２５を動作させて、固体酸化物形燃料電池３１０のアノード側から排出された可燃性ガスに着火させ（ステップＳ３１２）、カソード側から排出される酸化剤ガスとともに火炎燃焼させる。この火炎燃焼による熱により固体酸化物形燃料電池３１０は、加熱され、Ｔs1近傍まで低下した温度が、図１２に示すように徐々に上がっていく。
【０１８２】
このように発電原料を用いたパージにより固体酸化物形燃料電池３１０のアノード側から燃焼部３２７に排出された可燃性ガスを、カソード側から燃焼部３２７に排出された酸化剤ガスとともに火炎燃焼させる。これにより、可燃性ガスがそのまま、排ガス流路３１７を通して燃料電池ユニット３１２の外部大気中に放出されることを防ぐことができ、固体酸化物形燃料電池システム３の安全性を確保することができる。
【０１８３】
次に、制御器３５０は、不図示の計時器で計測した燃焼部３２７におけるトータルの着火時間、換言すると発電原料によるトータルのパージ時間（累計パージ時間）と、あらかじめ設定された所定の必要パージ時間ｔallとの大小関係を判定する（ステップＳ３１３）。なお、必要パージ時間ｔallは、発電原料供給器３１４から改質器３２６を経て固体酸化物形燃料電池３１０のアノードに至る可燃性ガス流路３１８全体を発電原料で満たすために必要な時間とすることができる。ここで可燃性ガス流路３１８全体を満たす発電原料の体積は、可燃性ガス流路３１８の容積以上とする。また、累計パージ時間は、図１２に示すように発電原料が供給されている時間（発電原料パージ時間ｔon）を足し合わせた時間（Σｔon）となる。
【０１８４】
つまり、固体酸化物形燃料電池システム３では、継続して発電原料を供給し、所定時間の間、パージを実行する構成ではなく、発電原料の供給を間欠的に行い、この供給した発電原料により可燃性ガス流路３１８のパージを行う構成となっている。これは、発電原料の供給を間欠的とすることで、可燃性ガスの燃焼に伴い生じた熱により固体酸化物形燃料電池３１０が過昇温となることを防ぐためである。このため、累計パージ時間とは複数回にわたって供給された発電原料によるパージ時間それぞれの合計となる。
【０１８５】
ステップＳ３１３の判定の結果、発電原料の累計パージ時間が必要パージ時間ｔallであると制御器３５０が判定したとき（ステップＳ３１３において「ＹＥＳ」）、可燃性ガス流路３１８全体の発電原料パージが完了したと判断する。そこで、ステップＳ３１３において「ＹＥＳ」の場合、制御器３５０は、可燃性ガス流路３１８への発電原料の供給を停止するように発電原料供給器３１４を制御するとともに、酸化剤ガスの供給を停止するように酸化剤ガス供給器３２２を制御する（ステップＳ３１４）。そして、固体酸化物形燃料電池システム３におけるパージが完了し、運転停止工程を終了する。
【０１８６】
一方、ステップＳ３１３の判定の結果、制御器３５０が発電原料の累計パージ時間が必要パージ時間ｔall未満であると判定した場合は、ステップＳ３１５に移る。ステップＳ３１５では、制御器３５０は、発電原料パージ時間ｔon、または改質器３２６の温度（改質器温度）について比較判定を行う。なお、発電原料パージ時間ｔonとは、１回の発電原料の供給において、該発電原料が供給されている時間である。
【０１８７】
つまり、制御器３５０は、不図示の計時器で計測された時間に基づき、発電原料パージ時間ｔonとあらかじめ設定されたパージ時間ｔpre-onとの大小関係を判定する。また、制御器３５０は、改質器３２６に設けられた第２温度検知器から、該第２温度検知器で検知された改質器３２６の温度（改質器温度）に関する情報を受け付け、この改質器温度とあらかじめ設定された改質器温度の上限温度ＴRmaxとの大小関係を判定する。
【０１８８】
そして、制御器３５０が、発電原料パージ時間ｔonがあらかじめ設定されたパージ時間ｔpre-on以上となると判定した場合、あるいは、改質器温度が上限温度ＴRmax以上となると判定した場合（ステップＳ３１５において「ＹＥＳ」）、発電原料の供給を停止する（ステップＳ３１６）。
【０１８９】
ここで、発電原料パージ時間ｔonとあらかじめ設定されたパージ時間ｔpre-onとの大小関係を判定するのは、発電原料パージ時間ｔonがあらかじめ設定されたパージ時間ｔpre-on以上となり、発電原料のパージで燃焼部３２７に導かれた可燃性ガスの燃焼時間が長くなり固体酸化物形燃料電池３１０および改質器３２６が過昇温となり、発電原料が炭化して炭素が固体酸化物形燃料電池３１０および改質器３２６の改質触媒に析出してしまうことを防ぐためである。そこで、この固体酸化物形燃料電池３１０および改質器３２６の過昇温を防止するために、発電原料パージ時間ｔonを監視し、あらかじめ設定されたパージ時間ｔpre-onに達した場合、制御器３５０は、発電原料の供給を停止するように発電原料供給器３１４を制御する（ステップＳ３１６）。そして、制御器３５０は発電原料の供給を停止させることで燃焼部３２７における火炎燃焼を消火させ、固体酸化物形燃料電池３１０および改質器３２６の過度な温度上昇を防ぐ。したがって、あらかじめ設定されたパージ時間ｔpre-onは、発電原料の供給により固体酸化物形燃料電池３１０および改質器３２６において発電原料が炭化することのない温度範囲、すなわち発電原料が熱分解する温度未満となる期間内で適宜設定される。
【０１９０】
また、改質器温度と上限温度ＴRmaxとを比較するのは、発電原料を利用したパージで燃焼部３２７に導かれた可燃性ガスの燃焼熱により加熱され、改質器温度が過度に上昇するのを防止するためである。つまり、改質器３２６の改質触媒内を発電原料が流通しており、燃焼部３２７における燃焼熱で改質触媒内の温度が上昇し、発電原料が熱分解する温度以上になると、発電原料が炭化して炭素が改質触媒に析出してしまう。そこで、この炭素析出を防止するために、改質器温度を直接監視し、上限温度ＴRmaxに達した場合、制御器３５０は、発電原料の供給を停止するように発電原料供給器３１４を制御する（ステップＳ３１６）。そして、制御器３５０は発電原料の供給を停止させることで燃焼部３２７における火炎燃焼を消火させ、改質器３２６の過度な温度上昇を防ぐ。
【０１９１】
なお、ステップＳ３１５では、制御器３５０が、発電原料パージ時間ｔonがあらかじめ設定されたパージ時間ｔpre-on以上となると判定した場合、あるいは、改質器温度が上限温度ＴRmax以上となると判定した場合に、発電原料の供給停止を指示する構成であったがこれに限定されない。例えば、制御器３５０が、発電原料パージ時間ｔonがあらかじめ設定されたパージ時間ｔpre-on以上となると判定し、かつ、改質器温度が上限温度ＴRmax以上となると判定した場合に発電原料の供給を停止する構成としてもよい。
【０１９２】
つまり、酸化剤ガスと発電原料とを供給させてパージを行っている際に、制御器３５０は、発電原料供給器３１４を制御して以下の構成を実現するものであればよい。すなわち、制御器３５０は、改質器３２６および固体酸化物形燃料電池３１０の温度が、発電原料が熱分解する温度未満となる範囲で燃料電池ユニット３１２へ発電原料を供給したり、発電原料の供給を停止させたりして、発電原料を燃料電池ユニット３１２に間欠的に供給させる構成であってもよい。より具体的には、制御器３５０は、発電原料が熱分解する温度未満となるよう改質器３２６の温度が上限温度ＴRmaxまで上がった時に燃料電池ユニット３１２への発電原料の供給を停止させることで、発電原料を燃料電池ユニット３１２に間欠的に供給させる構成であってもよい。あるいは、制御器３５０は、固体酸化物形燃料電池３１０の温度が、発電原料が熱分解する温度未満となるように、発電原料パージ時間ｔonがあらかじめ設定されたパージ時間ｔpre-onに達した時に燃料電池ユニット３１２への発電原料の供給を停止させることで、発電原料を燃料電池ユニット３１２に間欠的に供給させる構成であってもよい。
【０１９３】
ステップＳ３１６で発電原料供給を停止させた後、制御器３５０は、発電原料の供給停止時間ｔoffまたは改質器温度についてそれぞれ比較判定を行う（ステップＳ３１７）。つまり、制御器３５０は、不図示の計時器で計測された時間に基づき、発電原料の供給停止時間ｔoffとあらかじめ設定された供給停止時間（設定供給停止時間ｔpre-off）との大小関係を判定する。あるいは、制御器３５０は、改質器３２６に設けられた第２温度検知器から改質器温度に関する情報を受け付け、この改質器温度とあらかじめ設定された改質器温度の下限温度ＴRminとの大小関係を判定する。
【０１９４】
そして、制御器３５０が、発電原料の供給停止時間ｔoffが設定供給停止時間ｔpre-off以上となると判定した場合、あるいは、改質器温度が下限温度ＴRmin以下となると判定した場合、発電原料の供給を再開する（ステップＳ３１８）。
【０１９５】
ここで、発電原料の供給停止時間ｔoffと設定供給停止時間ｔpre-offとの大小関係を判定するのは、下記の理由からである。すなわち、発電原料の供給停止時間ｔoffが設定供給停止時間ｔpre-off以上となると、燃料電池ユニット３１２内にある改質器３２６の温度が過度に低下する。そして、この温度低下により改質器３２６において水素含有ガスに含まれる水蒸気が凝縮してしまうことを防ぐためである。そこで、改質器３２６において凝縮水が発生することを防止するために、発電原料の供給停止時間ｔoffを監視し、設定供給停止時間ｔpre-offに達した場合、制御器３５０は、発電原料の供給を再開するように発電原料供給器３１４を制御する（ステップＳ３１８）。そして、制御器３５０は発電原料の供給を再開させることで燃焼部３２７において発電原料を含む可燃性ガスを火炎燃焼させ、改質器３２６の過度な温度低下を防ぐ。したがって、設定供給停止時間ｔpre-offは、発電原料の供給停止後の改質器３２６で凝縮水が発生することのない温度範囲となる期間において適宜設定される。
【０１９６】
また、発電原料を供給停止している時に改質器温度と下限温度ＴRminとを比較するのは、下記の理由からである。すなわち、改質器３２６の温度低下とともに、可燃性ガス流路３１８に残留した水素含有ガスに含まれる水蒸気が凝縮し、発生した凝縮水により改質器３２６の改質触媒の耐久性を著しく低下させてしまうのを防ぐためである。すなわち、改質器３２６の温度低下が水蒸気を含む水素含有ガスの温度が露点以下にならないように改質器３２６の温度を直接監視するためである。
【０１９７】
なお、ステップＳ３１８では、制御器３５０が、発電原料の供給停止時間ｔoffが設定供給停止時間ｔpre-off以上となると判定した場合、あるいは、改質器温度が下限温度ＴRmin以下となると判定した場合に発電原料の供給を再開する構成であった。しかしながら、この構成に限定されるものではない。例えば、制御器３５０が、発電原料の供給停止時間ｔoffが設定供給停止時間ｔpre-off以上となると判定し、かつ、改質器温度が下限温度ＴRmin以下となると判定した場合に発電原料の供給を再開する構成としてもよい。
【０１９８】
つまり、酸化剤ガスと発電原料とを供給させてパージを行っている際に、制御器３５０は、発電原料供給器３１４を制御して以下の構成を実現するものであればよい。すなわち、制御器３５０は、改質器３２６の温度が、発電原料が熱分解する温度未満、且つ、水分が蒸気として存在する温度の下限温度ＴRminまで下がった時、燃料電池ユニット３１２に発電原料の供給を開始させる構成であってもよい。あるいは、制御器３５０は、固体酸化物形燃料電池３１０の温度が、発電原料が熱分解する温度未満、且つ、水分が蒸気として存在する温度の下限温度ＴSmin以上となる温度範囲において、発電原料の供給停止時間ｔoffが設定供給停止時間ｔpre-offに達した時に、燃料電池ユニット３１２への発電原料の供給を再開する構成としてもよい。
【０１９９】
そこで、改質触媒において凝縮水の発生を防止させるため、改質器温度を監視し、下限温度ＴRminに達した場合、制御器３５０は、発電原料の供給を再開するように発電原料供給器３１４を制御する。または、発電原料の供給停止時間ｔoffが設定供給停止時間ｔpre-off以上となると判定した場合、制御器３５０は、発電原料の供給を再開するように発電原料供給器３１４を制御する（ステップＳ３１８）。
【０２００】
ステップＳ３１８の後、ステップＳ３１２に戻り、ステップＳ３１２以降のステップを上記したように繰り返す。すなわち、固体酸化物形燃料電池システム３では、可燃性ガス流路３１８全体に対しての発電原料によるパージが完了するまで、発電原料の供給と停止とを繰り返す。また発電原料をこのように間欠的に供給させることで、図１２に示すように固体酸化物形燃料電池３１０は温度上昇と温度低下を繰り返しながら全体として徐々に冷却される。
【０２０１】
以上のように、第３実施形態の固体酸化物形燃料電池システム３の運転停止工程において、上述のフローチャートを実行することにより、可燃性ガス流路３１８の発電原料パージにより排出される可燃性ガスを燃焼部３２７で火炎燃焼させることができる。このため、可燃性ガスを固体酸化物形燃料電池システム３の系外に排気することなく安全に停止させることが可能となる。
【０２０２】
さらに、発電原料を間欠的に供給するように制御することにより、燃焼部３２７で可燃性ガスを火炎燃焼させた燃焼熱による固体酸化物形燃料電池３１０および改質器３２６などの温度上昇が抑制される。このため、燃料電池ユニット３１２の冷却時間を短縮できるとともに、改質器３２６の過度の温度上昇による発電原料の炭化（炭素析出）を防止でき、改質触媒の劣化を防ぎ耐久性を向上させることができる。
【０２０３】
さらにまた、発電原料を間欠的に供給するように制御することにより、改質器３２６の過度の温度低下により改質触媒で凝縮水が発生することを防止でき、改質触媒の耐久性の低下を抑制することができる。
【０２０４】
（第４実施形態）
次に、本発明の第４実施形態にかかる固体酸化物形燃料電池システム４について説明する。固体酸化物形燃料電池システム４は、第３実施形態に係る固体酸化物形燃料電池システム３の構成において、発電原料中の硫黄化合物を除去する水添脱硫器４４２および水添脱硫器４４２を加熱させる加熱器４１３をさらに備えた構成となっている。
【０２０５】
上記構成によると、水添脱硫器４４２を備えているため発電原料に含まれる硫黄化合物を除去することができる。また、固体酸化物形燃料電池システム４は加熱器４１３を備えている。このため、燃焼部４２７において火炎燃焼により生成した燃焼排ガスを加熱器４１３に導き、燃焼排ガスの有する熱により加熱器４１３が水添脱硫器４４２を加熱することができる。このように、燃焼部４２７で生じる排熱を利用して水添脱硫器４４２を加熱することができるため、エネルギーの利用効率を高めることができる。
【０２０６】
また、固体酸化物形燃料電池システム４では、制御器４５０は、水添脱硫器４４２の温度が、発電原料が熱分解する温度未満であり、且つ、水分が蒸気として存在する温度の下限温度ＴDmin以下まで低下した時、燃料電池ユニットに酸化剤ガスを供給しつつ、燃料電池ユニット４１２に発電原料を間欠的に供給するように、酸化剤ガス供給器４２２と発電原料供給器４１４とを制御する。
【０２０７】
このため、固体酸化物形燃料電池システム４は、燃焼排ガスの排熱量を調整し、脱硫触媒の温度を適切に制御することが可能となり、水添脱硫器４４２における過度の温度低下による水素含有ガス中の水分の凝縮、ならびに、過度の温度上昇による炭素析出を防止できる。このため、固体酸化物形燃料電池システム４は、脱硫触媒の劣化を防ぎ耐久性を向上させることができる。
【０２０８】
固体酸化物形燃料電池システム４において備える脱硫器は、水素を供給して硫黄化合物を除去する水添脱硫器４４２を例示したがこれに限定されるものではなく、例えば吸着型の脱硫器でであってもよい。
【０２０９】
（第４実施形態に係る固体酸化物形燃料電池システムの構成）
上記した本発明の第４実施形態に係る固体酸化物形燃料電池システム４のより具体的な構成について図１３を参照して説明する。図１３は、本発明の第４実施形態に係る固体酸化物形燃料電池システム４の概略構成の一例を示すブロック図である。
【０２１０】
図１３に示すように、第４実施形態に係る固体酸化物形燃料電池システム４は、燃料電池ユニット４１２と、水添脱硫器４４２と、加熱器４１３と、発電原料供給器４１４と、酸化剤ガス供給器４２２と、可燃性ガス流路４１８と、酸化剤ガス流路４１９と、排ガス流路４１７と、リサイクル流路４１５と、制御器４５０とを備えてなる構成である。燃料電池ユニット４１２は、固体酸化物形燃料電池４１０と、改質器４２６と、混合器４２４と、を備える。混合器４２４内には、点火器４２５が設けられた燃焼部４２７が形成されている。
【０２１１】
すなわち、水添脱硫器４４２と、加熱器４１３と、リサイクル流路４１５とをさらに備える点を除き、第４実施形態に係る固体酸化物形燃料電池システム４は、第３実施形態の固体酸化物形燃料電池システム３と同様の構成とすることができる。したがって、実施形態３に係る固体酸化物形燃料電池システム３が備える発電原料供給器３１４、酸化剤ガス供給器３２２、固体酸化物形燃料電池３１０、改質器３２６、混合器３２４（点火器３２５、燃焼部３２７）は、実施形態４に係る固体酸化物形燃料電池システム４が備える発電原料供給器４１４、酸化剤ガス供給器４２２、固体酸化物形燃料電池４１０、改質器４２６、混合器４２４（点火器３２５、燃焼部３２７）と共通するため、これらの部材についての説明については省略する。
【０２１２】
水添脱硫器４４２は、発電原料に含まれる硫黄成分を除去するためのものである。固体酸化物形燃料電池システム４では、水添脱硫器４４２は、図１３に示すように、燃料電池ユニット４１２の上面側における略中央部分に加熱器４１３と隣接して配置されている。また、この水添脱硫器４４２に充填する脱硫剤としては、例えば、上記した実施形態１にかかる固体酸化物形燃料電池システム１の「装置構成」で説明したように、銅および亜鉛を含む脱硫剤が挙げられる。
【０２１３】
なお、固体酸化物形燃料電池システム４では、水添脱硫に必要な水素は、改質器４２６で改質された水素含有ガスの一部を利用するように構成されている。固体酸化物形燃料電池システム４では、改質器４２６よりも後、つまり改質器４２６よりも下流側の可燃性ガス流路４１８部分で分岐して設けられたリサイクル流路４１５を通じて水素含有ガスを還流させることによって、水添脱硫器４４２に供給することができるように構成されている。水添脱硫器４４２によって脱硫された発電原料は、可燃性ガス流路４１８を通じて改質器４２６へと供給される。
【０２１４】
加熱器４１３は、排ガス流路４１７から導入される燃焼排ガスの熱で、水添脱硫器４４２を脱硫に適した温度に加熱するためのものであり、その内部には、燃焼排ガスが流通するための経路が形成されている。加熱器４１３で水添脱硫器４４２に熱を与えた燃焼排ガスは、排ガス流路４１７を通して固体酸化物形燃料電池システム４の外部に排気される。
【０２１５】
また、第４実施形態に係る固体酸化物形燃料電池システム４が備える制御器４５０は、運転停止工程においてパージを実行する場合、以下のように動作する。すなわち、制御器４５０は、固体酸化物形燃料電池４１０の温度や改質器４２６の温度および水添脱硫器４４２の温度に応じて、発電原料供給器４１４および酸化剤ガス供給器４２２を制御し、燃料電池ユニット４１２に供給する発電原料の供給量を調整したり、酸化剤ガスの供給量を調整したりする。以下において、運転停止工程におけるパージの実行について具体的に説明する。
【０２１６】
（第４実施形態に係る固体酸化物形燃料電池システムの運転停止工程）
第４実施形態に係る固体酸化物形燃料電池システム４の運転停止工程の具体例について、図１４および図１５を参照して説明する。図１４は、本発明の第４実施形態に係る固体酸化物形燃料電池システム４の運転停止工程の一例を示すフローチャートである。フローチャートに示す動作は、例えば、不図示の記憶部に記憶されたプログラムを制御器４５０が読み出し、実行することにより実現されうる。
【０２１７】
図１５は、図１４に示すフローチャートに従って固体酸化物形燃料電池システム４が動作した場合における各部の時系列変化の一例を示す図である。図１５では、水添脱硫器４４２、改質器４２６、および固体酸化物形燃料電池４１０の温度変化、酸化剤ガスおよび発電原料の流量変化、燃焼部４２７における着火／消火の状態変化を時系列に対応づけて示している。また、発電原料流量の流量変化を示すグラフにおいて、ｔ＝０で発電原料を利用した可燃性ガス流路４１８のパージが開始され、ｔ＝ｔEで発電原料を利用した可燃性ガス流路４１８のパージが終了することを示す。また、単位時間あたりに供給される発電原料流量は説明の便宜上、一定流量（ＱF）とする。
【０２１８】
なお、図１４に示すフローチャートにおいて、ステップＳ４１０からステップＳ４１４までの処理については、上述した図１１に示すフローチャートのステップＳ３１０からステップＳ３１４と同様の処理となるため説明は省略する。
【０２１９】
ステップＳ４１３の判定の結果、制御器４５０が発電原料の累計パージ時間が必要パージ時間ｔall未満であると判定した場合（ステップＳ４１３において「ＮＯ」）は、ステップＳ４１５に移る。ステップＳ４１５では、制御器４５０は、発電原料パージ時間ｔon、改質器温度、または水添脱硫器温度について比較判定を行う。
【０２２０】
つまり、制御器４５０は、不図示の計時器で計測された時間に基づき、発電原料パージ時間ｔonとあらかじめ設定されたパージ時間ｔpre-onとの大小関係を判定する。あるいは、制御器４５０は、改質器４２６に設けられた第２温度検知器から、該第２温度検知器で検知された改質器温度に関する情報を受け付け、この受け付けた改質器温度とあらかじめ設定された改質器温度の上限温度ＴRmaxとの大小関係を判定する。また、実施形態４に係る固体酸化物形燃料電池システム４では、水添脱硫器４４２に、該水添脱硫器４４２の温度を検知するための第３温度検知器が設けられている。そして、制御器４５０は、水添脱硫器４４２に設けられた第３温度検知器から、該第３温度検知器で検知された水添脱硫器４４２の温度（水添脱硫器温度）に関する情報を受け付け、この受け付けた水添脱硫器温度と予め設定された水添脱硫器温度の上限温度ＴDmaxとの大小関係を判定する。すなわち、ステップＳ４１５では、実施形態３に係る固体酸化物形燃料電池システム３の運転停止工程におけるステップＳ３１５において、さらに水添脱硫器温度と水添脱硫器温度の上限温度ＴDmaxとの大小関係を判定する処理を追加して行ってもよい構成となっている。
【０２２１】
なお、発電原料パージ時間ｔonとあらかじめ設定されたパージ時間ｔpre-onとの大小関係を判定する点、または改質器温度と上限温度ＴRmaxとを比較する点については実施形態３に係る固体酸化物形燃料電池システム３において説明したため、ここでの説明は省略する。
【０２２２】
また、水添脱硫器温度と水添脱硫器温度の上限温度ＴDmaxとを比較する点については、以下の理由による。すなわち、発電原料を用いたパージ時には、燃焼部３２７における火炎燃焼で生じた燃焼排ガスが加熱器４１３に導かれ、この燃焼排ガスの有する熱を利用して加熱器４１３が水添脱硫器４４２を加熱するように構成されている。ここで、加熱器４１３により加熱された水添脱硫器４４２の温度が過度に上昇すると、水添脱硫器４４２中を流通する発電原料が炭化して炭素が析出してしまう。そこで、制御器４５０は、水添脱硫器４４２の温度が水添脱硫器温度の上限温度ＴDmaxに達するか監視し、水添脱硫器温度の上限温度ＴDmaxに達すると判定した場合、発電原料供給器４１４に発電原料の供給を停止するように指示する。この制御器４５０からの制御指示に応じて、発電原料供給器４１４は、発電原料の供給を停止させる（ステップＳ４１６）。
【０２２３】
ステップＳ４１６で発電原料の供給を停止した後、続くステップＳ４１７で、制御器４５０は、発電原料供給停止時間の比較判定を行う。つまり、制御器４５０は、不図示の計時器の時間に基づき、発電原料の供給を停止させている時間（供給停止時間ｔoff）とあらかじめ設定された供給停止時間（設定供給停止時間ｔpre-off）との大小関係を判定する。この判定の結果、制御器４５０は、供給停止時間ｔoffが設定供給停止時間ｔpre-off以上であると判定した場合（ステップＳ４１７において「ＹＥＳ」）、発電原料の供給を再開するように発電原料供給器４１４に指示する。この制御器４５０からの制御指示に応じて、発電原料供給器４１４は、発電原料の供給を再開させる（ステップＳ４１９）。
【０２２４】
一方、発電原料の供給停止時間ｔoffが設定供給停止時間ｔpre-offに満たない場合（ステップＳ４１７において「ＮＯ」の場合）は、ステップＳ４１８に進む。そして、ステップＳ４１８において制御器４５０は、改質器４２６に設けられた第２温度検知器から、改質器温度に関する情報を受け付け、この受け付けた改質器温度とあらかじめ設定された改質器温度の下限温度ＴRminとの大小関係を判定する。あるいは、制御器４５０は、水添脱硫器４４２に設けられた第３温度検知器から、水添脱硫器温度に関する情報を受け付け、この受け付けた水添脱硫器温度と予め設定された水添脱硫器温度の下限温度ＴDminとの大小関係を判定する。
【０２２５】
ここで、改質器温度と改質器温度の下限温度ＴRminとの大小関係を判定する、あるいは水添脱硫器温度と水添脱硫器温度の下限温度ＴDminとの大小関係を判定するのは以下の理由からである。すなわち、発電原料の供給を停止に伴い、燃焼部４２７において火炎燃焼が停止されるため、水添脱硫器４４２および改質器４２６の温度が低下する。水添脱硫器４４２および改質器４２６の温度が過度に低下すると、可燃性ガス流路４１８に残留した水蒸気を含む水素含有ガスの温度が露点以下になって水が凝縮し、水添脱硫器４４２および改質器４２６の触媒の耐久性を著しく低下させてしまう。そこで、この凝縮水により水添脱硫器４４２および改質器４２６の触媒の耐久性低下を招かないようにするため、改質器温度または水添脱硫器温度それぞれが水蒸気を凝縮させない下限温度ＴRminまたは下限温度ＴDminを下回らないように監視する。実際には、水添脱硫器４４２および改質器４２６、ならびにこれらを接続する流路も含めて水蒸気を凝縮させない温度とする必要があるが、第４実施形態に係る固体酸化物形燃料電池システムでは、水添脱硫器４４２から改質器４２６までの区間における温度は、ほぼ一定となるため、水添脱硫器４４２または改質器４２６の温度を監視する構成となっている。もし、システムの構成上、水添脱硫器４４２と改質器４２６との温度がほぼ一定とならないようか場合では、水添脱硫器４４２および改質器４２６、ならびにこれらの間を接続する流路それぞれに温度検知器を設け、各温度検知器により検知された温度が水蒸気を凝縮させない下限温度を下回らないように監視するように構成されていてもよい。
【０２２６】
改質器４２６の温度が下限温度ＴRminにまで低下したと判定した場合、または水添脱硫器４４２の温度が下限温度ＴDminにまで低下したと判定した場合は、制御器４５０は、発電原料の供給を再開させるように発電原料供給器４１４を制御する。発電原料供給器４１４は制御器４５０からの制御指示に応じて、燃料電池ユニット４１２への発電原料の供給を再開させる（ステップＳ４１９）。その後、ステップＳ４１２にもどり、燃焼部３２７における点火器３２５で、アノードから排出される可燃性ガスに着火させ、酸化剤ガスとともに燃焼させる。そして、ステップＳ４１３以降の処理を繰り返す。このようにして、実施形態４に係る固体酸化物形燃料電池システム４において、可燃性ガス流路４１８全体のパージが完了するまで、発電原料の供給と停止を繰り返す。このようして発電原料を間欠的に供給させることで、図１５に示すように固体酸化物形燃料電池４１０は温度上昇と温度低下を繰り返しながら全体として徐々に冷却される。
【０２２７】
なお、実施形態２に係る固体酸化物形燃料電池システム４では、ステップＳ４１７において供給停止時間が設定供給停止時間ｔpre-off以上であると判定した場合、発電原料の供給を再開する構成であった。また、給停止時間が設定供給停止時間ｔpre-offに満たないが改質器温度が下限温度ＴRminにまで低下したと判定した場合、または水添脱硫器温度が下限温度ＴDminにまで低下したと判定した場合にも、発電原料の供給を再開する構成であった。しかしながら、この構成に限定されるものではない。例えば、供給停止時間ｔpre-off以上であるとの判定、改質器温度が下限温度ＴRminにまで低下したとの判定、ならびに水添脱硫器温度が下限温度ＴDminにまで低下したとの判定のうち、少なくとも１つの判定が、制御器４５０によってなされた場合に発電原料の供給を再開する構成としてもよい。
【０２２８】
以上のように、第４実施形態に係る固体酸化物形燃料電池システム４は、運転停止時に、上述の処理を実行することにより、供給した発電原料により可燃性ガス流路４１８中の水素含有ガスを燃焼部４２７に排出させ、発電原料と水素含有ガスとを火炎燃焼させることができる。このため、第４実施形態に係る固体酸化物形燃料電池システム４は、可燃性ガスを燃料電池ユニット４１２の外部大気中に放出することなく安全に停止させることが可能となる。
【０２２９】
さらに、発電原料を間欠的に供給するように制御することにより、燃焼部４２７で可燃性ガスを火炎燃焼させた燃焼熱による固体酸化物形燃料電池４１０、水添脱硫器４４２、および改質器４２６などの温度上昇が抑制される。このため、燃料電池ユニット４１２の冷却時間を短縮できるとともに、水添脱硫器４４２の脱硫触媒および改質器４２６の改質触媒が過度の温度上昇による、発電原料の炭化（炭素析出）を防止でき、触媒の劣化を防ぎ耐久性を向上させることができる。
【０２３０】
さらにまた、発電原料を間欠的に供給するように制御することにより、改質器４２６、水添脱硫器４４２の過度の温度低下により改質触媒および脱硫触媒で凝縮水が発生することを防止でき、改質触媒および脱硫触媒の耐久性の低下を抑制することができる。
【０２３１】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０２３２】
本発明の一態様は、耐久性が向上された固体酸化物形燃料電池システムとして有用である。
【符号の説明】
【０２３３】
１    固体酸化物形燃料電池システム
２    固体酸化物形燃料電池システム
３    固体酸化物形燃料電池システム
４    固体酸化物形燃料電池システム
１０    固体酸化物形燃料電池
１２    燃料電池ユニット
１４    発電原料供給器
１６    アノードガス流路
１８    可燃性ガス流路
２０    カソードガス流路
２２    酸化剤ガス供給器
２４    混合器
２６    水添脱硫器
５０    制御器
１００    固体酸化物形燃料電池システム
１１０    固体酸化物形燃料電池
１１２    燃料電池ユニット
１１４    発電原料供給器
１１８    可燃性ガス流路
１２０    カソードガス流路
１２２    酸化剤ガス供給器
１２４    混合器
１２５    点火器
１２６    改質器
１２８    脱硫器
１３０    改質水供給器
１３２    排気部
１３４    第１弁
１３６    バイパス流路
１３７    第２弁
１３８    第１脱硫器
１４０    リサイクルガス流路
１４１    第３弁
１４２    第２脱硫器
１５０    制御器
２００    固体酸化物形燃料電池システム
３１０    固体酸化物形燃料電池
３１２    燃料電池ユニット
３１４    発電原料供給器
３１６    アノードガス流路
３１７    排ガス流路
３１８    可燃性ガス流路
３１９    酸化剤ガス流路
３２０    カソードガス流路
３２２    酸化剤ガス供給器
３２４    混合器
３２５    点火器
３２６    改質器
３２７    燃焼部
３５０    制御器
４１０    固体酸化物形燃料電池
４１２    燃料電池ユニット
４１３    加熱器
４１４    発電原料供給器
４１５    リサイクル流路
４１７    排ガス流路
４１８    可燃性ガス流路
４１９    酸化剤ガス流路
４２０    カソードガス流路
４２２    酸化剤ガス供給器
４２４    混合器
４２５    点火器
４２６    改質器
４２７    燃焼部
４４２    水添脱硫器
４５０    制御器
【要約】
アノードガス流路とカソードガス流路とを備える固体酸化物形燃料電池と、前記アノードガス流路から排出されるアノードオフガスと前記カソードガス流路から排出されるカソードオフガスとを混合する混合器と、を備える、燃料電池ユニットと、前記燃料電池ユニットに発電原料を供給する発電原料供給器と、前記発電原料供給器から前記アノードガス流路の下流端に至る可燃性ガス流路と、前記カソードガス流路に酸化剤ガスを供給する酸化剤ガス供給器と、前記燃料電池ユニットの発電停止後に、前記発電原料供給器を制御して前記可燃性ガス流路の容積以上の体積の発電原料を前記可燃性ガス流路に供給し、同時に、前記酸化剤ガス供給器を制御して前記カソードガス流路に酸化剤ガスを供給する、制御器と、を備える、固体酸化物形燃料電池システム。【図１】
0005886483.tif 000002
【図２】
0005886483.tif 000003
【図３】
0005886483.tif 000004
【図４】
0005886483.tif 000005
【図５】
0005886483.tif 000006
【図６】
0005886483.tif 000007
【図７】
0005886483.tif 000008
【図８】
0005886483.tif 000009
【図９】
0005886483.tif 000010
【図１０】
0005886483.tif 000011
【図１１】
0005886483.tif 000012
【図１２】
0005886483.tif 000013
【図１３】
0005886483.tif 000014
【図１４】
0005886483.tif 000015
【図１５】
0005886483.tif 000016